(57)【要約】  【課題】  ＴＤＭＡフレームを用いた移動通信において、ＴＤＭＡ内のアップリンクのスロットＡＣＴＳの数を動的に変更可能な通信システム、通信方法、および当該通信方法で通信可能な基地局および移動局を提供する。  【解決手段】  基地局はＦＣＭＰを生成する際に、送信バッファの使用率を検出し、その使用率に基づいて、アップリンクフレームの各スロットをどのような構成にするか決定する。例えば、送信バッファの使用率が高い場合は、新たな移動局の登録要求等を受け付けないように、ＡＣＴＳの数をゼロとし、送信バッファの使用率が低い場合は、ＡＣＴＳの数を１とする。また、移動局の数が非常に多い大会場のような場所では、ＡＣＴＳのみのＴＤＭＡフレームを提供する。送信バッファの使用率の他に、移動局からの登録要求等が衝突する頻度に基づいてＡＴＣＳの数を決定することもできる。【選択図】  図２２
2005252980.tif 000002
【特許請求の範囲】
【請求項１】
基地局と移動局との間で、アップリンクとダウンリンクとが同時に利用可能とされ、前記アップリンクおよび前記ダウンリンクを通じ、フレーム単位に無線通信を行う通信システムにおいて、
前記アップリンクのフレームが複数のスロットから構成され、
前記アップリンクのフレーム内の第１の種類のスロットを使用して、前記基地局と前記移動局を接続するための所定の要求が、前記移動局から前記基地局に送信され、
前記基地局は、
前記ダウンリンクを介して前記移動局に送信すべきデータを、一時的に記録する記録手段と、
前記記録手段の使用率、および前記第１の種類のスロットを使用した前記送信が前記移動局間で衝突する頻度のうち、少なくとも一方に基づいて、前記アップリンクのフレームに含まれる前記第１の種類のスロットの数を決定する決定手段とを備えることを特徴とする通信システム。
【請求項２】
請求項１に記載の通信システムにおいて、
前記決定手段は、
前記記録手段の使用率が低いほど、前記アップリンクのフレームに含まれる前記第１の種類のスロットの数を多くすることを特徴とする通信システム。
【請求項３】
請求項２に記載の通信システムにおいて、
前記決定手段は、
前記記録手段の使用率が所定の値より大きい場合は、前記アップリンクのフレームに含まれる前記第１の種類のスロットの数をゼロとし、それ以外の場合は、前記アップリンクのフレームに含まれる前記第１の種類のスロットの数を１以上とすることを特徴とする通信システム。
【請求項４】
基地局と移動局との間で、アップリンクとダウンリンクとが同時に利用可能とされ、前記アップリンクおよび前記ダウンリンクを通じ、フレーム単位に無線通信を行う通信方法において、
前記アップリンクのフレームが複数のスロットから構成され、
前記アップリンクのフレーム内の第１の種類のスロットを使用して、前記基地局と前記移動局を接続するための所定の要求が、前記移動局から前記基地局に送信され、
前記基地局は、前記ダウンリンクを介して前記移動局に送信すべきデータを、一時的に記録する記録手段を有し、
前記記録手段の使用率、および前記第１の種類のスロットを使用した前記送信が前記移動局間で衝突する頻度のうち、少なくとも一方に基づいて、前記アップリンクのフレームに含まれる前記第１の種類のスロットの数を、前記基地局において決定するステップを備えることを特徴とする通信方法。
【請求項５】
請求項４に記載の通信方法において、
前記決定ステップは、
前記記録手段の使用率が低いほど、前記アップリンクのフレームに含まれる前記第１の種類のスロットの数を多くすることを特徴とする通信方法。
【請求項６】
請求項５に記載の通信方法において、
前記決定ステップは、
前記記録手段の使用率が所定の値より大きい場合は、前記アップリンクのフレームに含まれる前記第１の種類のスロットの数をゼロとし、それ以外の場合は、前記アップリンクのフレームに含まれる前記第１の種類のスロットの数を１以上とすることを特徴とする通信方法。
【請求項７】
基地局と移動局との間で、アップリンクとダウンリンクとが同時に利用可能とされ、前記アップリンクおよび前記ダウンリンクを通じてフレーム単位に無線通信を行い、さらに前記アップリンクのフレームが複数のスロットから構成される通信システムにおける基地局において、
前記アップリンクのフレーム内の第１の種類のスロットを使用して送信された、前記基地局と前記移動局を接続するための所定の要求を、前記移動局から受信し、
前記ダウンリンクを介して前記移動局に送信すべきデータを、一時的に記録する記録手段を有し、
前記記録手段の使用率、および前記第１の種類のスロットを使用した前記送信が前記移動局間で衝突する頻度のうち、少なくとも一方に基づいて、前記アップリンクのフレームに含まれる前記第１の種類のスロットの数を、前記基地局において決定する決定手段を備えることを特徴とする基地局。
【請求項８】
請求項７に記載の基地局において、
前記決定手段は、
前記記録手段の使用率が低いほど、前記アップリンクのフレームに含まれる前記第１の種類のスロットの数を多くすることを特徴とする基地局。
【請求項９】
請求項８に記載の基地局において、
前記決定手段は、
前記記録手段の使用率が所定の値より大きい場合は、前記アップリンクのフレームに含まれる前記第１の種類のスロットの数をゼロとし、それ以外の場合は、前記アップリンクのフレームに含まれる前記第１の種類のスロットの数を１以上とすることを特徴とする基地局。
【発明の詳細な説明】
【技術分野】
【０００１】
この発明は、例えばマルチメディアデータを基地局から車両に対して伝送すると共に、車両から基地局に対してデータを伝送する通信システム、通信方法、および基地局に関する。
【背景技術】
【０００２】
路車間通信システムに対する要求としてマルチメディア通信の実現がある。マルチメディア通信では、移動局から情報の要求を行い、画像や音楽データ等のマルチメディアデータをダウンロードする場合が多く、移動局からの送信（上り）データ量に比して受信（下り）データ量が多いという特徴がある。したがって、路車間通信システムによってマルチメディア通信を実現するためには、バースト的に発生する大量のデータを効率良く移動局に伝送する無線通信方式が必要である。また、移動局からの送信データのデータ量も、車両にて撮影した画像データを伝送するような場合には、必ずしも少ないとは言えず、効率良くデータを伝送することが望まれる。
【０００３】
このような路車間のマルチメディア無線通信に適したものとして、データの送受信をＴＤＭＡ（Time Division Multiple Access ）フレームを介して行い、ダウンリンクをスロットＦＣＭＳ（Frame Control Message Slot）とスロットＭＤＳ（Message Data Slot ）で構成し、アップリンクをスロットＡＣＴＳ（ACTivation Slot ）とスロットＭＤＳで構成する通信方法が、特許文献１において提案されている。
【０００４】
【特許文献１】特開２００３−２３４６８８号公報
【０００５】
上記特許文献１の通信方法によって、比較的短時間で大量のデータを通信でき、かつ移動局側の通信処理および回路規模を単純化できる通信方法が提供される。この通信方法では、ひとかたまりのデータを単位として応答信号を返すようにしているので、通常送信と再送処理とが同じものとなり、移動局側でのバッファの容量を小さくでき、また、処理を簡単化できる。ひとかたまりのデータとは、例えば、インターネット等で伝送されるＩＰパケットを指しており、基本的な通信は、ＴＣＰ／ＩＰベースで行われる。
【発明の開示】
【発明が解決しようとする課題】
【０００６】
しかしながら、この通信方法では、ＴＤＭＡフレーム内で特定のスロットの数が固定的に定められているため、無線通信の状況が変化した場合に、それらの変化に柔軟に対応できず、一層効率的なデータの送受信を実現することができない。
【０００７】
例えば、アップリンクのスロットＡＣＴＳは通常、１つのＴＤＭＡフレームについて１つ（サブスロットとしては４つ）用意されており、移動局からの登録・登録削除要求、もしくはコネクション設定・コネクション解放要求に用いられるが、移動局からこれらの要求が全くない場合でも、このスロットが確保されており、実質的に帯域を無駄にしていることになる。
【０００８】
逆に、移動局から登録・登録削除要求、およびコネクション設定・コネクション解放要求が頻繁に行われる場合に、スロットＡＣＴＳが１つに固定されていると、移動局の登録やコネクション設定に用いられるスロットとが不足して、当該処理が大幅に遅延する結果となり、通信システムの可用性が著しく損なわれる。
【０００９】
したがって、この発明の目的は、ＴＤＭＡフレームを用いた移動通信において、スロットＡＣＴＳの数を柔軟に調整することにより、移動局の設定処理等をより効率的に行う通信システム、通信方法、および当該通信方法によって通信を行う基地局を提供することにある。
【００１０】
また、この発明のさらなる目的は、スロットＡＣＴＳの数を、基地局が移動局に送信すべきデータの量に応じて動的に調整する通信システム、通信方法、および当該通信方法によって通信を行う基地局を提供することにある。
【課題を解決するための手段】
【００１１】
この発明は、基地局と移動局との間で、アップリンクとダウンリンクとが同時に利用可能とされ、アップリンクおよびダウンリンクを通じ、フレーム単位に無線通信を行う通信システムにおいて、アップリンクのフレームが複数のスロットから構成され、アップリンクのフレーム内の第１の種類のスロットを使用して、基地局と移動局を接続するための所定の要求が、移動局から基地局に送信され、基地局は、ダウンリンクを介して移動局に送信すべきデータを、一時的に記録する記録手段と、記録手段の使用率、および第１の種類のスロットを使用した送信が移動局間で衝突する頻度のうち、少なくとも一方に基づいて、アップリンクのフレームに含まれる第１の種類のスロットの数を決定する決定手段とを備えるよう構成された通信システムである。
【００１２】
この発明は、基地局と移動局との間で、アップリンクとダウンリンクとが同時に利用可能とされ、アップリンクおよびダウンリンクを通じ、フレーム単位に無線通信を行う通信方法において、アップリンクのフレームが複数のスロットから構成され、アップリンクのフレーム内の第１の種類のスロットを使用して、基地局と移動局を接続するための所定の要求が、移動局から基地局に送信され、基地局は、ダウンリンクを介して移動局に送信すべきデータを、一時的に記録する記録手段を有し、記録手段の使用率、および第１の種類のスロットを使用した送信が移動局間で衝突する頻度のうち、少なくとも一方に基づいて、アップリンクのフレームに含まれる第１の種類のスロットの数を、基地局において決定するステップを備えるよう構成された通信方法である。
【００１３】
この発明は、基地局と移動局との間で、アップリンクとダウンリンクとが同時に利用可能とされ、アップリンクおよびダウンリンクを通じてフレーム単位に無線通信を行い、さらにアップリンクのフレームが複数のスロットから構成される通信システムにおける基地局において、アップリンクのフレーム内の第１の種類のスロットを使用して送信された、基地局と移動局を接続するための所定の要求を、移動局から受信し、ダウンリンクを介して移動局に送信すべきデータを、一時的に記録する記録手段を有し、記録手段の使用率、および第１の種類のスロットを使用した送信が移動局間で衝突する頻度のうち、少なくとも一方に基づいて、前記アップリンクのフレームに含まれる第１の種類のスロットの数を、基地局において決定する決定手段を備えるよう構成された基地局である。
【発明の効果】
【００１４】
この発明によれば、ＴＤＭＡフレームを用いた移動通信において、スロットＡＣＴＳの数を柔軟に調整することにより、移動局の設定処理等をより効率的に行うことができる。スロットＡＣＴＳの数は、基地局が移動局に送信すべきデータの量に応じて動的に調整することが可能である。
【発明を実施するための最良の形態】
【００１５】
この発明は、上述のように、特許文献１に記載のＴＤＭＡフレームを用いた移動通信に改良を加えるもので、スロットＡＣＴＳの数を柔軟に調整することによって、より効率的な通信を実現する。そこで、最初に、当該ＴＤＭＡフレームを用いた移動通信の処理（プロトコル）の概要について説明する。
【００１６】
このプロトコルに関する回線構成は、同時に通信可能な上り回線（以下では、アップリンクと称する）および下り回線（以下では、ダウンリンクと称する）からなる。ここでは、一例として、ダウンリンク（基地局から移動局へのリンク）とアップリンク（移動局から基地局へのリンク）とで別の周波数を使用するＦＤＤ(Frequency division duplexing:周波数分割複信) 方式を採用する。
【００１７】
図１において、基地局１は、ネットワークと接続されたネットワーク制御部２と、メッセージデータパケット(Message Data Packet：MDP)  生成部３と、フレームコントロールメッセージパケット (Frame Control Message Packet：FCMP) 生成部４と、ＭＤＰおよびＦＣＭＰを選択的に出力するセレクタ５と、セレクタ５の出力が供給され、無線装置６に含まれる送信部７と、送信部７からの無線信号を移動局に向かって放射するアンテナ８と、アンテナ８の移動局からの受信信号が供給される受信部９と、受信パケット判定部１０とから構成されている。なお、MDP はダウンリンクのメッセージデータスロット（Message Data Slot : MDS ）を介して送信され、また、FCMPはダウンリンクのメッセージデータスロット(Frame Control Message Slot ：FCMS) を介して送信される。
【００１８】
ネットワーク制御部２を介してマルチメディアデータがネットワークからＭＤＰ生成部３に供給され、ＭＤＰ生成部３によって、ＭＤＰが生成される。ＦＣＭＰ生成部４によって、ＦＣＭＰが生成される。受信パケット判定部１０によって判定された受信パケットがネットワーク制御部２を介してネットワークに送信される。ネットワークとしては、携帯電話ネットワーク、放送ネットワーク、インターネット等が可能である。
【００１９】
基地局１は、ダウンリンクの各フレームの先頭のＦＣＭＰによって、ダウンリンクおよびアップリンクのスロット割り当て状況を移動局に対して通知する。各移動局は、ＦＣＭＰの内容から自分がどのデータスロットのデータを受信すべきかを判断できる。また、ＦＣＭＰには、上りフレーム内の各データスロットの割り当て状況から各移動局は、ＦＣＭＰの内容から自分がどのデータスロットを使用してデータを送信すべきかを判断できる。さらに、ＦＣＭＰには、アップリンクデータに対する基地局での受信状況の情報が含まれる。すなわち、アップロードパケットが基地局に正常に受信されたか否かの情報がＦＣＭＰに含まれる。
【００２０】
次に、図２を参照して移動局の構成例を説明する。図２において、ネットワーク制御部２２に対してデータ機器が接続される。データ機器は、受信データを利用し、または送信データを発生するものである。データ機器としては、携帯電話端末、パーソナルコンピュータ、ディジタル放送受信機、ディジタルカメラ、カーナビゲーション装置、ＧＰＳ(Global Positioning System) 、ディスプレイ、オーディオシステム等が使用可能である。
【００２１】
ネットワーク制御部２２には、アクチベーションパケット (ACTivation Packet ：ACTP) 生成部２３およびＭＤＰ生成部２４が接続される。ＡＣＴＰ生成部２３およびＭＤＰ２４と、無線装置２７に含まれる送信部２８との間には、セレクタ２６が設けられている。セレクタ２６で選択されたデータが送信部２８に供給される。送信部２８からの無線信号がアンテナ２９から放射され、基地局１へアップロードされる。なお、MDP はアップリンクのメッセージデータスロット（Message Data Slot : MDS ）を介して送信され、また、ACTPはアップリンクのアクチベーションスロット(ACTivation Slot：ACTS) を介して送信される。
【００２２】
移動局２１が通信可能な基地局１の通信エリアに入った場合、ＡＣＴＰ生成部２３によってＡＣＴＰが生成され、アップリンクのACTSを介して基地局に伝送される。そして、基地局１で登録が認められ、アップリンクでの通信が可能になりアップリンク用のスロットが割り当てられた場合、ＭＤＰがＭＤＰ生成部２４で生成される。
【００２３】
ここで、移動局２１のアップロード要求、ダウンロード要求、ユーザ・データ、および前記ダウンリンクを通じて送信されたデータに対する応答情報はすべてＭＤＰを用いて、基地局１が決め、ＦＣＭＳで送信されたＦＣＭＰによって送信されたアップリンク、およびダウンリンクフレーム内のスロットを用いてやりとりがされる。ＡＣＴＰには、基地局登録に必要となる情報が含まれる。
【００２４】
ダウンロードの際、移動局２１は、基地局１がFCMSおよびMDS を介して送信したＦＣＭＰおよびＭＤＰをアンテナ２９を介して受信する。アンテナ２９によって受信された受信信号が無線装置２７の受信部３０に供給される。受信部３０からの受信信号が受信パケット判定部３１に供給される。受信パケット判定部３１は、受信パケットがＦＣＭＰかＭＤＰかを判別する。また、MDP の中でも受信した移動局２１のものであるか、他の移動局のものであるかを判別する。そして受信パケット判定部３１からの受信パケットがネットワーク制御部２２を介してデータ機器に供給される。
【００２５】
上述した基地局１（図１）および移動局２１（図２）は、例えば、路車間通信システムにおける基地局および車両に搭載されている移動局に相当するものである。より具体的には、図３に示すような路車間通信システムに対してこの発明を適用することができる。図３のシステムは、統合基地局４１と、光ファイバ４２1 、４２2 、・・・と、統合基地局４１と光ファイバ４２1 、４２2 、・・・で接続された複数の局地基地局４３１、４３２・・・とによって構成される。局地基地局４３1 、４３2 、・・・が例えば道路に沿って所定の間隔で設置され、車両４４に搭載されている移動局との路車間通信が可能とされている。アンテナ以外の部分は、統合基地局４１に設置され、アンテナが局地基地局４３1
、４３2 、・・・にそれぞれ設置される。
【００２６】
かかる路車間通信システムにおいて、統合基地局４１は、所定の無線変調方式によって変調された、ＭＤＰ、ＦＣＭＰを生成し、その無線信号を無線光変換装置によって光信号に変換する。無線光変換装置は、例えばレーザダイオードからの光信号を直接若しくは光変調器によって光信号に変換する構成とされている。この光信号が光ファイバ４２1 、４２2 、・・・を介して１以上の局地基地局４３1 、４３2 、・・・に送信される。局地基地局４３1 、４３2 、・・・においては、ホトダイオードに代表される光無線変換装置によって光信号を無線周波数帯の信号へ変換し、無線信号を路側アンテナから移動局にＭＤＰおよびＦＣＭＰを伝送する。
【００２７】
車両４４に搭載された移動局は、路側アンテナから放射された無線信号を受信するアンテナと、アンテナにて受信された無線信号をそれぞれ対応する携帯電話機や放送受信機に送る接続部とを備えている。また、アップリンクにおいては、移動局からの所定の無線変調方式によって変調されたＡＣＴＰ、ＭＤＰを局地基地局４３1 、４３2 、・・・で受信し、上述した無線光変換装置と同様の原理を持つ、無線光変換装置によって光信号へ変換し、光ファイバ４２1 、４２2 、・・・を介して統合基地局４１へ伝送する。統合基地局４１においては、上述した光無線変換装置と同様の原理を持つ光無線変換装置によって無線周波数帯の信号に変換し、移動局から送信されてきたＡＣＴＰおよびＭＤＰを受信する。
【００２８】
なお、統合基地局４１に設けた、周波数変換統合分配装置によって携帯電話や放送等の変調された個別の無線周波数または中間周波数を、ある特定の周波数帯例えばミリ波帯に含まれるように、統合変換し共用周波数帯の無線信号を路側アンテナから放射しても良い。この場合には、車両４４に搭載された移動局は、共用周波数帯に感度を有するアンテナと、アンテナにて受信された無線信号を個別の無線周波数や中間周波数の無線信号に変換し、分配する周波数変換分配装置と、周波数変換分配装置からの個別の無線周波数や中間周波数の無線信号をそれぞれ対応する携帯電話機や放送受信機に送る接続部とを備えている。
【００２９】
図１に示される基地局１は、図３のシステムにおける統合基地局４１および局地基地局４３1 、４３2 、・・・の全体に対応したものである。図２に示される移動局２１は、車両４４に搭載されている移動局に対応するものである。ここでは、基地局１から移動局２１に対するダウンリンクと、その逆の移動局２１から基地局１に対するアップリンクとが同時に通信可能なように構成されている。
【００３０】
この発明のプロトコルは、ＯＳＩ参照モデルの第２層（データリンク層）に対応する。データリンク層は、さらに、ＭＡＣ（Media Access Control）層とその上位のＬＬＣ（Logical Link Control）層に分けられる。図４Ａには、ＴＤＭＡフレームの構成の一例が示されている。ダウンリンクのＴＤＭＡの１フレームが１個のＦＣＭＳと複数個のＭＤＳで構成される。
【００３１】
アップリンクのＴＤＭＡの１フレームはＡＣＴＳと複数個のＭＤＳとで構成される。ここで、ＡＣＴＳは複数のミニスロットからなり、ダウンリンクとアップリンクとでは、フレーム周期が等しく、スロット周期が異なる。以下、各スロットについて説明する。
【００３２】
スロットＦＣＭＳは、１ＴＤＭＡフレームに必ず１個あり、ＴＤＭＡフレームの先頭に配置される。ＦＣＭＳは、ダウンリンク専用のスロットであり、基地局情報、ダウンリンク・アップリンクのスロット割り当て情報、アップリンクデータ（ユーザ・データ）に対するＡＣＫ(ACKnowledgment ：肯定応答) 情報などがＦＣＭＳに含まれる。一方、誤りが検出されると、ＮＡＣＫ(Negative ACKnowledgment：否定応答) がこのＦＣＭＳを用いて移動局に返される。この場合、移動局は、誤りとされたデータを再送信する。
【００３３】
スロットＭＤＳは、アップリンクおよびダウンリンクの１ＴＤＭＡフレームに対してそれぞれ１個以上割り当てられる。ダウンリンクでは、基地局が多重化を行い、アップリンクでは、複数の移動局ＭＳ(Mobile Station)が多重化を行う。ＭＤＳは、通常のデータ通信に使用される。また、ダウンリンクでは、基地局からの登録・登録削除応答（通知）、コネクション設定・コネクション解放応答（通知）の送信にＭＤＳが使用され、アップリンクでは、ダウンリンクデータ（ユーザ・データ）に対するＡＣＫの送信にＭＤＳが使用される。
【００３４】
スロットＡＣＴＳは、アップリンクの１ＴＤＭＡフレームに割り当てられ、移動局からの登録・登録削除要求、の送信に使用されるランダムアクセス可能なスロットである。また、コネクション設定・コネクション解放要求等に用いられる場合もある。ＡＣＴＳは、複数のミニスロットからなり、移動局は、基地局に対して要求を行う場合、このミニスロットの中から１つのスロットをランダムに選択し、その選択された時間のなかで要求パケットＡＣＴＰを送信する。
【００３５】
ダウンリンクのフレーム構成は、先頭にスロット割り当て情報を含むＦＣＭＳが配置され、その後にデータスロットＭＤＳが続いている。一方、アップリンクのフレーム構成は、ＡＣＫ用のスロットが設けられず、データスロットＭＤＳを使用してダウンリンクデータに対するＡＣＫが送信される。また、固定のダウンロード要求スロットおよびアップロード要求スロットが設けられず、フレームの先頭のＡＣＴＳによって要求を送信するようにしている。
【００３６】
図４Ｂには、ＦＣＭＰ、ＭＤＰ、ＡＣＴＰを構築する基本的なパケットフォーマットが示されている。１スロットは、先頭にプリアンブルＰＲ、その後にユニークワードＵＷが続き、さらに、パケットが続き、最後にガードタイムＧＴが位置する構成とされている。このプリアンブルとユニークワードを用いてヘッダ部という場合もある。またパケットは、各スロットにおけるプリアンブル、ユニークワード、ガードタイムを除いた部分であり、図４Ｃに示すように、固定長のヘッダと可変長のペイロードとで構成される。
【００３７】
ガードタイムは、端末間の伝搬遅延差に起因するバーストの衝突をさけるために設けられている。アップリンクとダウンリンクとでは、スロット周期が異なるために、ガードタイム長が異なる場合もある。但し、アップリンクでの各スロットのガードタイムが同等の長さとされ、同様に、ダウンリンクでの各スロットのガードタイムが同等の長さとされる。
【００３８】
プリアンブルおよびユニークワードからなるヘッダ部の長さは、ＦＣＭＳ、ＭＤＳ、ＡＣＴＳともに必要とされる信頼性にあわせて決定される。
【００３９】
ここで、ダウンリンクにおけるスロットの割り当て方式とＡＣＫの送信について説明する。図５は、基地局の送信バッファの内容の一例である。宛先アドレス（移動局のアドレス）として、Ａ、Ｂ、Ｃ、・・・が示されている。送信バッファの最初の１行に格納されている、データ（1-1 、1-2 、1-3 、・・・、1-6 ）が宛先アドレスＡに対して送信されるひとまとまり（以下、シーケンスと称する）のデータであり、最後のパケット1-6 にデータの最後を示すＥＯＤ（End Of Data ）が含まれている。通常このシーケンスは上位層ＰＤＵ（Protocol Data Unit）とも呼ばれ、各移動局に対する１イーサネットパケットもしくはＩＰパケットに相当する。同様、（2-1 、2-2 、・・・、2-5 ）が宛先アドレスＢに対して送信されるシーケンス番号２のデータである。以下、同様に、宛先アドレスＡ、Ｂ、Ｃのそれぞれに対する送信データの例が示されている。なお、1-1 等は、ＭＤＳに配置されるパケット（ＭＤＰ）を示している。
【００４０】
このように送信バッファに送信すべきデータが格納されている場合、ダウンリンクのスロット割り当ての方法として、３通りの方法が可能である。第１の方法がＦＩＦＯ（First-In First-Out）方式であり、第２の方法がラウンドロビン方式であり、第３の方法が変形ＦＩＦＯ方式である。これらについて順に説明する。
【００４１】
図６がＦＩＦＯ方式を示す。ダウンリンクでは、ＴＤＭＡフレームの各スロットに対して、送信バッファに格納された順にパケットが配置される。この例では、ダウンリンクの１ＴＤＭＡフレームが一つのＦＣＭＳと８個のＭＤＳとからなる例である。宛先アドレスＡの移動局は、１シーケンスのデータを正常に受信すると、アップリンクのＭＤＳを使用してＡＣＫを基地局に返す。例えばシーケンス番号１のデータ（1-1 、・・・、1-6 ）を受信すると、1-ＡＣＫを基地局にＭＤＳを利用して返す。以下、同様に、各基地局は、各シーケンスのデータを受信する毎に、ＡＣＫを基地局に返す。
【００４２】
図７は、ラウンドロビン方式を示す。ラウンドロビン方式は、送信バッファにデータが格納されている宛先アドレス（移動局）に対して順に送信すべきデータの有無を問い合わせ、データがあれば、ダウンリンクのスロットにそのデータを配置する方法である。この例では、宛先アドレスとして、Ａ、Ｂ、Ｃがあるので、（Ａ→Ｂ→Ｃ）の問い合わせが繰り返してなされる。図５の例では、最初に宛先アドレスＣのシーケンス番号５のデータの送信が終了するので、その後は、Ａ→Ｂの問い合わせがなされ、さらに、宛先アドレスＢのシーケンス番号２のデータが終了すると、Ａの宛先アドレスのデータのみがスロットに割り当てられる。アップリンクを介して移動局がＡＣＫを返す方法は、上述したのと同様に、１シーケンスのデータの受信がされた場合にＡＣＫを返すものである。
【００４３】
図８は、変形ＦＩＦＯ方式を示す。この方式は、入力した順にデータをダウンリンクの各スロットに配置する点では、ＦＩＦＯ方式と同様である。但し、１シーケンスのデータが所定の個数のパケット（ここでは、６個のパケット）に満たない長さの場合では、残ったスロットを空きスロットのままとし、ＡＣＫを１シーケンスのデータを受信する毎に返す。
【００４４】
このように、この発明のプロトコルでは、１シーケンスのデータ単位で応答信号を返すようにしている。若し、正常に受信できない場合には、ＮＡＣＫが返される。１シーケンスのデータの受信を完了するのは、上述した３つの方法の何れにおいても、固定されず、したがって、アップリンクのＭＤＳを使用してＡＣＫを返すようにしている。また、正常にデータが受信できなかった場合には、再送が必要である。再送制御の方法については後述する。
【００４５】
図９は、ＦＣＭＳのパケットフォーマットの一例である。図９中の各行が１６ビット（２オクテット）の長さであり、パケットの先頭部分（図の上側）にヘッダが位置し、その後にペイロードが位置し、さらに、ペイロードがダウンリンクに関する情報ＤＬと、アップリンクに関する情報ＵＬとに分割して配されている。ＦＣＭＳのパケットに配される各データについて以下に順番に説明する。
【００４６】
ヘッダの先頭のスロットタイプ（２ビット）は、スロットの種別を示す。（００ｂ）がＦＣＭＳであり、（０１ｂ）がＭＤＳであり、（１０ｂ）がＡＣＴＳである。図９は、ＦＣＭＳであるので、（００ｂ）が設定される。ｂは、ビット表記であることを示す。
【００４７】
モード（２ビット）は、通信システムの動作モードを示す。動作モードは、以下のものが可能とされている。
【００４８】
（００ｂ）：マルチメディアステーション（単数ＢＳ単数ＡＰ）（点型）
（０１ｂ）：マルチメディアレーン（単数ＢＳ複数ＡＰ）（短距離線型）
（１０ｂ）：アドバンスドマルチメディアレーン（複数ＢＳ複数ＡＰ）（長距離線型）
（１１ｂ）：マルチメディアウェイ（複数ＢＳ複数ＡＰ）（面型）
【００４９】
バージョン（２ビット）は、各動作モードに対するバージョンを示し、
（００ｂ）：バージョン１、（０１ｂ）：バージョン２、（１０ｂ）：バージョン３、（１１ｂ）：バージョン４とされる。
【００５０】
スロットカウント（６ビット）は、ダウンリンクのＭＤＳの個数、およびアップリンクのＡＣＴＳとＭＤＳの合計個数を示す。（００００００ｂ）の１個から（１１１１１１ｂ）の６４個までの値をとりうる。ダウンリンクのＭＤＳの個数のデフォルト値が８スロットであるので、スロットカウントが７（０００１１１ｂ）に設定される。
【００５１】
サブスロットカウント（４ビット）は、アップリンクのＡＣＴＳ内のサブスロットの個数を示す。（００００ｂ）の１個から（１１１１ｂ）の１６個までの値をとりうる。ＡＣＴＳ内のサブスロット個数のデフォルト値が３スロットであるので、サブスロットカウントが２（００１０ｂ）に設定される。
【００５２】
ソースＭＡＣ(Media Access Control)アドレス（８ビット）は、発信元のＭＡＣアドレスを示す。ＦＣＭＳの発信元ノードは、基地局であるので、基地局の論理チャンネルＩＤ（０００００００１ｂ）が設定される。
【００５３】
ディスティネーションＭＡＣアドレス（８ビット）は、宛先ノードのＭＡＣアドレスを示す。ＦＣＭＳは、全て移動局が宛先ノードとなるため、不定の論理チャンネルＩＤ（１１１１１１１１ｂ）が設定される。
【００５４】
チャンネルカウント（８ビット）は、コネクションを設定している論理チャンネル数を示す。優先度が１の場合の論理チャンネル個数を１として、現在コネクションを設定している全論理チャンネル個数を設定する。（００００００００ｂ）の０チャンネルから（１１１１１１１１ｂ）の２５５チャンネルまでがある。
【００５５】
スロットアサインメントターム（８ビット）は、次スロットの割当周期を示す。移動局に対してアップリンク用にスロット（ＭＤＳ）を割り当てたにもかかわらず、有効データが送信されなかった場合に、その移動局に対して次のスロットを割り当てる周期をＴＤＭＡフレーム単位で示す。（００００００００ｂ）の１周期から（１１１１１１１１ｂ）の２５６周期までがある。割当周期の最大値のデフォルト値を５周期としているので、この８ビットが５（０００００１００ｂ）に設定される。
【００５６】
プロパゲーションディレイ（１０ビット）は、光ファイバ部分に代表されるあらかじめ許容される伝播遅延を示す。光ファイバ長を５０ｍ単位で指定する。（００００００００００ｂ）の０ｍから（１１１１１１１１１１ｂ）の５１１５０ｍまで５０ｍ刻みで指定される。例えば上述した図３に示す路車間通信システムの例では、光ファイバ４２1 、４２2 、４２3 の長さが示される。
【００５７】
トランスミッションコントロール（６ビット）は、スロット割当制御方式、再送制御方式に関する制御情報を示す。この６ビットを（ｂ1 、ｂ2 、ｂ3 、ｂ4 、ｂ5 、ｂ6 ）と表記すると、各ビットの意味が以下のように規定されている。なお、ビットｂ4 、ｂ5 およびｂ6 は、未使用である。なお、種別が３種類以上の場合には、２ビット以上を割り当てるようにしても良い。
【００５８】
ｂ1 ：ダウンリンクスロットの割当制御方式の種別を示し、
ｂ1 ＝０（０ｂ）：ＦＩＦＯ方式
ｂ1 ＝１（１ｂ）：ラウンドロビン方式
とされる。
【００５９】
ｂ2 ：再送制御方式の再送データ単位の種別を示し、
ｂ2 ＝０（０ｂ）：セグメント単位
ｂ2 ＝１（１ｂ）：上位層ＰＤＵ方式
とされる。
【００６０】
ｂ3 ：上位層とのデータ受け渡し方式の種別を示し、
ｂ3 ＝０（０ｂ）：ランダム方式
ｂ3 ＝１（１ｂ）：シーケンシャル方式
とされる。
【００６１】
ベースステーションＩＤ（４８ビット）は、基地局のＩＤを示す。基地局を一意に識別するためのユニークなＩＤ（Ethernetアドレス等）が設定される。
【００６２】
１６ビットのヘッダＣＲＣ(cyclic redundancy code)が配置される。例えば１＋ｘ5 ＋ｘ12＋ｘ16が生成多項式として使用される。ＣＲＣは、エラー検出符号である。
【００６３】
次に、ペイロードに配置されるデータについて説明する。図１０Ａに示すように、ＤＬで示すダウンリンクのスロット割当情報は、２オクテット（１スロット当り）毎に区切られ、ディスティネーションＭＡＣアドレス（８ビット）、割当スロットタイプ（２ビット）およびリザーブドエリア（６ビット）によって構成される。
【００６４】
ディスティネーションＭＡＣアドレスは、各スロットを利用する移動局のＭＡＣアドレス（論理チャンネルＩＤ）を示す。スロットタイプが（０１ｂ）であって、ＭＤＳを指定し、且つパケットタイプが制御パケットの登録応答の時は、不定の論理チャンネルＩＤ（１１１１１１１１ｂ）が設定される。また、送信データが無い場合には、不能の論理チャンネルＩＤ（００００００００ｂ）が設定される。その他の場合は宛先となる移動局の論理チャンネルＩＤが設定される。割当スロットタイプ（２ビット）は、各スロットの種別を示し、ダウンリンクで指定するスロットタイプは、（ＭＤＳ：０１ｂ）である。
【００６５】
ＵＬで示すアップリンクのスロット割当情報は、２オクテット（１スロット当り）毎に区切られている。図１０Ｂに示すように、アップリンクのスロット割当情報は、ソースＭＡＣアドレス（８ビット）、割当スロットタイプ（２ビット）、リザーブドエリア（６ビット）から構成される。
【００６６】
ソースＭＡＣアドレスは、各スロットを利用する移動局のＭＡＣアドレス（論理チャンネルＩＤ）を示す。スロットタイプが（１０ｂ）でＡＣＴＳを示す場合では、ソースＭＡＣアドレスとして不定の論理チャンネルＩＤ（１１１１１１１１ｂ）が設定される。その他の場合は、発信元となる移動局の論理チャンネルＩＤが設定される。
【００６７】
割当スロットタイプは、各スロットの種別を示す。アップリンクでは、（０１ｂ）：ＭＤＳと、（１０ｂ）：ＡＣＴＳが設定される。
【００６８】
アップリンクデータに対するＡＣＫ情報は、図１０Ｃに示すように、４オクテット（１スロット当り）毎に区切られている。ソースＭＡＣアドレス（８ビット）、コントロール（２ビット）、リザーブドエリア（６ビット）、ＡＣＫシーケンスナンバー、またはコリジョンディテクション（１６ビット）から構成される。
【００６９】
ソースＭＡＣアドレスは、ＡＣＫ情報に対する移動局のＭＡＣアドレス（論理チャンネルＩＤ）を示す。アップリンクスロットがＭＤＳではなくＡＣＴＳとして使用された場合、ソースＭＡＣアドレスとして不定の論理チャンネルＩＤ（１１１１１１１１ｂ）が設定される。その他の場合は、ＡＣＫ情報に対する移動局の論理チャンネルＩＤが設定される。
【００７０】
コントロールは、本割当に対する制御情報を示す。コントロールの２ビットを（ｂ1 、ｂ2 ）とすると、ビットｂ1 がＡＣＫシーケンスナンバーが有効か否かを示す。（ｂ1 ＝０ｂ）が無効を示し、（ｂ1 ＝１ｂ）が有効を示す。ビットｂ2 は、ＡＣＫシーケンスナンバーがＡＣＫかＮＡＣＫかを示す。（ｂ2 ＝０ｂ）がＮＡＣＫを示し、（ｂ2 ＝１ｂ）がＡＣＫを示す。
【００７１】
ＡＣＫシーケンスナンバー（１６ビット）は、ＡＣＫのシーケンス番号を示す。アップリンクデータに対して正確に受信できたデータのシーケンス番号が設定される。
【００７２】
アップリンクスロットがＭＤＳではなくＡＣＴＳとして使用された場合（ソースＭＡＣアドレスとして不定の論理チャンネルＩＤが設定された場合）、ＡＣＫシーケンスナンバーフィールドは、コリジョンディテクションフィールドとして使用される。コリジョンディテクションは、前回のＡＣＴＳで衝突があったか否かを示す。サブスロットの個数が１〜１６個の範囲であるので、各サブスロットに対応するビットにて衝突の有無を設定する。（０ｂ）が衝突なし、（１ｂ）が衝突ありと規定される。
【００７３】
ペイロードの最後に、１６ビットのペイロードＣＲＣが配されている。例えば１＋ｘ5
＋ｘ12＋ｘ16が生成多項式として使用される。以上のデータがペイロードに配置されるものである。
【００７４】
図１１は、ＭＤＰのパケットフォーマットの一例である。図１１中の各行が２オクテットの長さであり、パケットの先頭部分（図の上側）にヘッダが位置し、その後にペイロードが位置する。ヘッダの最後にヘッダＣＲＣ（１６ビット）が付加され、ペイロードの最後にペイロードＣＲＣ（１６ビット）が付加されている。
【００７５】
最初にヘッダに含まれるデータについて説明する。ヘッダの先頭のスロットタイプ（２ビット）は、スロットの種別を示す。（００ｂ）がＦＣＭＳであり、（０１ｂ）がＭＤＳであり、（１０ｂ）がＡＣＴＳである。図１１は、ＭＤＳであるので、（０１ｂ）が設定される。
【００７６】
パケットタイプ（２ビット）がパケットの種別を示す。（００ｂ）がデータパケットを示し、（０１ｂ）が制御パケットを示す。使用状況に応じて何れかの値が設定される。
【００７７】
コントロール（４ビット）がパケットの制御情報を示す。４ビットを（ｂ1 ｂ2 ｂ3 ｂ4 ）と表記する。ビットｂ1 は、本パケットのペイロード部分およびデータシーケンスナンバーが有効か否かを示す。（ｂ1 ＝０ｂ）は、無効（ペイロードなし、データシーケンス無効）を示し、（ｂ1 ＝１ｂ）は、有効（ペイロードあり、データシーケンス有効）を示す。
【００７８】
ビットｂ2 は、本パケットが上位層ＰＤＵの最後か否かを示す。（ｂ2 ＝０ｂ）は、上位層ＰＤＵの先頭、または途中を示し、（ｂ2 ＝１ｂ）は、上位層ＰＤＵの最後を示す。ビットｂ3 は、本パケットのＡＣＫシーケンスナンバーが有効か否かを示す。（ｂ3 ＝０ｂ）は、無効を示し、（ｂ3 ＝１ｂ）は、有効を示す。ビットｂ4 は、ＡＣＫシーケンスナンバーがＡＣＫかＮＡＣＫかを示す。（ｂ4 ＝０ｂ）がＮＡＣＫを示し、（ｂ4 ＝１ｂ）がＡＣＫを示す。
【００７９】
バッファカウント（８ビット）が送信バッファ内のデータ数を示す。ＭＡＣ層における送信バッファに残っているデータパケットの個数が設定される。２５６個以上の場合は、（１１１１１１１１ｂ）が設定される。
【００８０】
ソースＭＡＣアドレス（８ビット）は、発信元ノードのＭＡＣアドレスを示す。ダウンリンクの場合、発信元基地局の論理チャンネルＩＤ（０００００００１ｂ）が設定される。アップリンクの場合、発信元移動局の論理チャンネルＩＤが設定される。
【００８１】
ディスティネーションＭＡＣアドレス（８ビット）は、宛先ノードのＭＡＣアドレスを示す。ダウンリンクの場合、パケットの種別がデータパケットの時は、宛先移動局の論理チャンネルＩＤが設定される。パケット種別が制御パケットの場合で、登録応答の時は不定の論理チャンネルＩＤ（１１１１１１１１ｂ）が設定される。その他（登録削除応答、コネクション設定応答、コネクション解放応答）の時は、宛先移動局の論理チャンネルＩＤが設定される。アップリンクの場合は、宛先基地局の論理チャンネルＩＤ（０００００００１ｂ）が設定される。
【００８２】
データ長（１６ビット）は、本パケットのペイロード長をオクテット（８ビット）単位で示す。１６ビットが全て０の場合が１オクテットのデータ長であり、１６ビットが全て１の場合は、６５５３６オクテットである。ここでは、例えばペイロード長が２５６オクテットであるので、（００００００００１１１１１１１１ｂ）がデータ長として設定される。
【００８３】
データシーケンスナンバー（１６ビット）は、２５６オクテットのデータのシーケンス番号を示す。再送制御のためのデータのシーケンス番号を示す。データ長は、ＩＰパケットの最大長より短いものであれば良く、２５６オクテットの値は、一例である。
【００８４】
ＡＣＫシーケンスナンバー（１６ビット）は、ＡＣＫのシーケンス番号を示す。正確に受信できたデータのシーケンス番号を指定する。なお、ダウンリンクでは、ＡＣＫシーケンスナンバーのフィールドを使用しない。
【００８５】
１６ビットのヘッダＣＲＣが位置する。生成多項式として、例えば１＋ｘ5 ＋ｘ12＋ｘ16が使用される。以上のデータがヘッダに配置されるものである。
【００８６】
ペイロード本体には、ＬＬＣのＰＤＵが設定される。ペイロードの後にペイロードＣＲＣ（１６ビット）が付加される。生成多項式として、ヘッダＣＲＣと同一のものが使用される。
【００８７】
図１２は、ＡＣＴＳに配されるＡＣＴＰのパケットフォーマットの一例である。図１２中の各行が２オクテットの長さであり、パケットの先頭部分（図の上側）にヘッダが位置し、その後にペイロードが位置する。ヘッダの最後にヘッダＣＲＣ（１６ビット）が付加され、ペイロードの最後にペイロードＣＲＣ（１６ビット）が付加されている。
【００８８】
ヘッダの先頭のスロットタイプ（２ビット）は、スロットの種別を示す。（００ｂ）がＦＣＭＳであり、（０１ｂ）がＭＤＳであり、（１０ｂ）がＡＣＴＳである。本スロットは、ＡＣＴＳであるので、（１０ｂ）が設定される。
【００８９】
パケットタイプ（２ビット）がパケットの種別を示す。本スロットでは、制御パケットのみが使用されるので、（０１ｂ）が設定される。
【００９０】
コントロール（４ビット）がパケットの制御情報を示す。４ビットを（ｂ1 ｂ2 ｂ3 ｂ4 ）と表記する。ビットｂ1 〜ｂ4 は、未使用（未定義）である。
【００９１】
データ長（８ビット）は、パケットのペイロード長をオクテット（８ビット）単位で示す。８ビットが全て０の場合が１オクテットのデータ長であり、８ビットが全て１の場合は、２５６オクテットである。
【００９２】
ソースＭＡＣアドレス（８ビット）は、発信元ノードのＭＡＣアドレスを示す。登録要求の場合は、不能の論理チャンネルＩＤ（００００００００ｂ）が設定される。その他（登録削除要求、コネクション設定要求、コネクション解放要求）の場合は、発信元移動局の論理チャンネルＩＤが設定される。
【００９３】
ディスティネーションＭＡＣアドレス（８ビット）は、宛先ノードのＭＡＣアドレスを示す。登録要求の場合は、不定の論理チャンネルＩＤ（１１１１１１１１ｂ）が設定される。その他（登録削除要求、コネクション設定要求、コネクション解放要求）の場合は、宛先基地局の論理チャンネルＩＤ（０００００００１ｂ）が設定される。
【００９４】
１６ビットのヘッダＣＲＣが位置する。生成多項式として、例えば１＋ｘ5 ＋ｘ12＋ｘ16が使用される。以上のデータがヘッダに配置されるものである。
【００９５】
ペイロード本体にＬＬＣのＰＤＵが設定される。ペイロード本体の後にペイロードＣＲＣ（１６ビット）が付加される。生成多項式として、ヘッダＣＲＣと同一のものが使用される。
【００９６】
次に、スロット割当制御方式について説明する。ダウンリンクでは、ＦＣＭＳの他にＭＤＳのスロットが割り当てられる。ダウンリンクにおけるＭＤＳは、ユーザのデータを送信するために使用されるＭＤＳと、無線ゾーンに入った場合の登録等の呼制御に関するデータ（登録・登録削除応答（通知）、コネクション設定・解放応答（通知））を送信するためのＭＤＳとに分類される。呼制御データは、ユーザデータに比して重要度が高いので、送信すべき呼制御データがある場合は、ユーザデータよりも優先的にスロットを割り当てる。
【００９７】
すなわち、
高優先：呼制御データ用ＭＤＳ（登録・登録削除応答、コネクション設定・解放応答）
低優先：ユーザデータ用ＭＤＳ（データ・再送データ）
とされる。
【００９８】
ユーザデータに関するスロット割当は、呼制御データへの割当で使用した残りのスロットに関して行う。ユーザデータへスロットを割り当てる場合、スロット割当管理テーブルを参照して行う。図１３Ａは、スロット割当管理テーブルの一例を示す。
【００９９】
コネクション設定ＭＡＣアドレスは、コネクションを確立している移動局のＭＡＣアドレス（論理チャンネルＩＤ）を示す。コネクション優先度は、ラウンドロビン時に割り当てるスロット数に対応する。なお、コネクション設定ＭＡＣアップロードは、ＬＬＣ部が管理するコネクション管理テーブルと同等の設定値を用いる。ダウンリンク送信バッファ状態とは、基地局の送信バッファに存在するデータ（パケット数）を示す。アップリンク送信バッファ状態は、移動局から送信されるＭＤＰに含まれるバッファカウントフィールドの設定値に対応する。基地局は、移動局からのＭＤＰを受信するたびに、アップリンク送信バッファ状態を更新する。
【０１００】
コネクションを設定している移動局に対して例えばラウンドロビン方式により均等にスロットを割り当てる。但し、コネクション優先度により、ラウンドロビン時に割り当てるスロット数が異なる。なお、ダウンリンクバッファ状態が０（すなわち、送信すべきデータがない）移動局に対しては、スロットを割り当てない。また、送信バッファに全スロット数分のデータ（パケット）数がないバッファは、残りのスロットについては割り当てない。データ送信を行なわないスロットでは、（１０１０ｂ）のパケットを送信することも可能とする。
【０１０１】
スロット割当管理テーブルが図１３Ａに示す場合において、送信すべき呼制御データがないとき、ダウンリンクの１ＴＤＭＡフレームにおけるスロット割当は、図１３Ｂに示すものとなる。移動局（Ａ）は、送信すべきデータがないので、１フレームの最初のデータスロットが移動局（Ｂ）に割り当てられる。次に、移動局（Ｃ）に対してスロットが割り当てられるが、コネクション優先度が「２」であるので、二つのスロットが移動局「Ｃ」に対して割り当てられる。次に、移動局「Ｄ」に対してスロットが割り当てられる。以下、順にダウンリンク送信バッファに入っているデータがなくなるまで、スロット割当がなされる。図１３Ａの場合では、データ個数が７個であるので、ダウンリンクの１ＴＤＭＡフレームの最後のスロットが空きスロットとなる。次回のラウンドロビン割当の始まりは、ＭＡＣアドレスが「Ａ」の移動局からである。
【０１０２】
図１４および図１５のフローチャートは、ダウンリンクのスロット割当処理、すなわち、ＦＣＭＳの作成処理の流れを示す。割当処理としては、例えばラウンドロビン方式が使用されるが、それ以外のＦＩＦＯ方式（図６）または変形ＦＩＦＯ方式（図８）を使用しても良い。これらの図は、一連の処理の流れを示すものであるが、作図スペースの制約上、図１４および図１５に分割して描かれている。
【０１０３】
ステップＳ１では、制御データ（呼制御用のデータ）の有無が調べられる。制御データは、呼制御データを意味し、ユーザデータよりも優先的にスロットが割り当てられるデータである。制御データがある場合、ステップＳ２において、残りスロット数（その１ＴＤＭＡフレーム内の残りの空きスロット数）と制御データ数の大小関係が判定される。制御データ数が残りスロット数より多い場合では、全スロットを制御データに割り当てる（ステップＳ３）。そして、処理が終了する。
【０１０４】
残りスロット数が制御データ数より多いとステップＳ２において判定されると、制御データが残りスロットに割り当てられる（ステップＳ４）。したがって、ステップＳ５で示すように、残りスロット数＝残りスロット数−制御データ数となる。残りスロット数が０かどうかがステップＳ６において決定される。残りスロット数が０ならば、割当処理が終了する。
【０１０５】
ステップＳ６において、残りスロットが未だあると決定されると、ステップＳ７において、前回記憶分（ＭＡＣ−ＩＤ、未割当データ数）が読み出される。ステップＳ１において、制御データがないと決定された場合には、残りスロット数がそのままとされ（ステップＳ８）、次に、ステップＳ７に処理が移る。
【０１０６】
ステップＳ９では、未割当データの有無が調べられる。未割当データが無いと決定されると、ステップＳ１０において、フラグが全てOFF とされる。未割当データがあるとステップＳ９で決定されると、ステップＳ１１において、残りスロット数と未割当データ数の大小関係が判定される。未割当データ数が残りスロット数より多い場合では、割当可能なスロットを未割当データに割り当てる（ステップＳ１２）。割り当てられたデータ数が未割当データ数から減じられる（ステップＳ１３）。ステップＳ１４において、現在のＭＡＣ−ＩＤと未割当データ数が記憶され、処理が終了する。
【０１０７】
ステップＳ１１において、未割当データ数が残りスロット数より少ない場合では、残りスロットを未割当データに割り当てる（ステップＳ１５）。したがって、ステップＳ１６で示すように、残りスロット数＝残りスロット数−未割当データ数となる。残りスロット数が０かどうかがステップＳ１７において決定される。残りスロット数が０ならば、割当処理が終了する。残りスロット数が０でない場合には、未割当データが無い場合と同様に、ステップＳ１０において、フラグが全てOFF とされる。
【０１０８】
ステップＳ１０より後の処理が図１５に示されている。図１５に示すステップＳ１８において、次のＭＡＣ−ＩＤが読み出される。そして、ステップＳ１９において、フラグがONか否かが決定される。フラグがONであれば、処理が終了する。フラグがONでない場合には、ステップＳ２０において、データ個数が０か否かが決定される。データ個数が０であれば、ステップＳ２１において、フラグがONとされ、ステップＳ１８（次のＭＡＣ−ＩＤの読み出し）に戻る。
【０１０９】
データ個数が１以上であれば、ステップＳ２２において、フラグが全てOFF とされ、ステップＳ２３の判定処理がなされる。ステップＳ２３では、（優先度、データ個数の少ない方）（以下、適宜「少ない方」と称する）と（残りスロット数）とが比較される。（残りスロット数＞少ない方）の場合、（残りスロット数＝少ない方）の場合、並びに（残りスロット数＜少ない方）の場合のそれぞれに応じた割り当て処理がなされる。
【０１１０】
（残りスロット数＞少ない方）の場合では、ステップＳ２４において、スロットの割当がなされ、ステップＳ２５において、データ個数がデクリメントさせられる。ステップＳ２６では、データ個数が０か否かが判定される。データ個数が０でないと、ステップＳ２７において、（残りスロット数＝残りスロット数−少ない方のデータ個数）の処理がされる。その後、ステップＳ１８（次のＭＡＣ−ＩＤが読み出し）に戻る。データ個数が０の場合には、ステップＳ２８において、フラグがONとされてからステップＳ２７に処理が移る。
【０１１１】
（残りスロット数＝少ない方）の場合では、ステップＳ２９において、スロットの割当がなされ、ステップＳ３０において、データ個数がデクリメントさせられる。ステップＳ３１では、現在のＭＡＣ−ＩＤ、データ個数（０）が記憶される。そして、処理が終了する。
【０１１２】
（残りスロット数＜少ない方）の場合では、ステップＳ３２において、割り当て可能なデータ個数の割当がなされ、ステップＳ３３において、データ個数がデクリメントさせられる。ステップＳ３４では、現在のＭＡＣ−ＩＤ、未割当データ個数が記憶される。そして、処理が終了する。
【０１１３】
次に、アップリンクにおけるスロット割り当て処理について説明する。ダウンリンクのスロット割当処理と同様に、割当処理としては、例えばラウンドロビン方式が使用されるが、それ以外のＦＩＦＯ方式（図６）または変形ＦＩＦＯ方式（図８）を使用しても良い。
【０１１４】
アップリンクでは、ＭＤＳとＡＣＴＳのスロットを割り当てる。ＡＣＴＳに関しては、１ＴＤＭＡフレームの先頭に必ず１スロットが割り当てられるものとする。ＭＤＳに関しては、ダウンリンクデータに対するＡＣＫ用として強制的に割り当てられるものと、通常のアップリンクデータ用として割り当てられるものがある。但し、アップリンクデータ用の場合でも、ＭＤＰのＡＣＫシーケンスナンバーフィールドを使用してＡＣＫを送信することが可能である。また、ダウンリンクデータに対するＡＣＫ用の場合でも、ペイロードフィールドに通常のアップリンクデータを含めて送信することが可能である。
【０１１５】
ダウンリンクデータに対するＡＣＫ用として割当が必要な場合は、通常のアップリンクデータ用よりも優先的にスロットを割り当てる。すなわち、
高優先：ダウンリンクデータに対するＡＣＫ用ＭＤＳ
低優先：アップリンクデータ用ＭＤＳ
とされる。
【０１１６】
ダウンリンクデータに対するＡＣＫ用のスロットは、ＭＤＰのコントロールフィールドの上位層ＰＤＵの最後のフラグメントか否かを示す２ビットが１（有効）の場合、必ず割り当てるようにする。
【０１１７】
アップリンクデータ用のＭＤＳを割り当てる場合は、ダウンリンクの場合と同様にスロット割当管理テーブル（図１３Ａ）を参照し、コネクションを設定している移動局に対して、ラウンドロビン方式により均等にスロットを割り当てる。コネクション優先度の値により、ラウンドロビン時に割り当てるスロット数は異なる。アップリンク送信バッファ状態が０（すなわち、送信バッファにデータがない）の移動局に対してもラウンドロビン割当時に必ず１つのスロットを割り当てるようにする。但し、その場合は、１ＴＤＭＡフレーム内では１つのみの割当とする。
【０１１８】
スロット管理テーブルが前述した図１３Ａに示すものである場合において、送信すべきダウンリンクデータに対するＡＣＫがないとき、アップリンクのスロット割当は、図１６に示すものとなる。１フレームのＡＣＴＳを除いた最初のデータスロットが移動局（Ａ）に割り当てられる。次に、移動局（Ｂ）に対してスロットが割り当てられる。さらに、移動局（Ｃ）に対してスロットが割り当てられるが、コネクション優先度が「２」であるので、二つのスロットが移動局「Ｃ」に対して割り当てられる。以下、順にスロット割当がなされる。次回のラウンドロビン割当の始まりは、「Ｃ」の移動局からである。なお、スロットを割り当てたにもかかわらず、有効データが送信されない移動局に対しては、設定されたＴＤＭＡ周期の間スロットを割り当てない。有効データが送信された時点で通常のラウンドロビン方式で割り当てるようになされる。
【０１１９】
図１７および図１８のフローチャートは、アップリンクのスロット割当処理、すなわち、ＦＣＭＳの作成処理の流れを示す。これらの図は、一連の処理の流れを示すものであるが、作図スペースの制約上、図１７および図１８に分割して描かれている。
【０１２０】
ステップＳ４１では、１ＴＤＭＡフレームの先頭の１スロットがＡＣＴＳに対して割り当てられる。残りスロット数が−１とされる（ステップＳ４２）。ＡＣＫ用のスロット割当の有無がステップＳ４３において調べられる。ＡＣＫ用のスロット割当がある場合、優先的にＡＣＫに対するスロット割当がなされる。ステップＳ４４において、残りスロット数（その１ＴＤＭＡフレーム内の残りの空きスロット数）とＡＣＫ用スロット数の大小関係が判定される。ＡＣＫ用スロット数が残りスロット数より多い場合では、全スロットをＡＣＫ用スロットに割り当てる（ステップＳ４５）。そして、処理が終了する。
【０１２１】
残りスロット数がＡＣＫ用スロット数より多いとステップＳ４４において判定されると、ＡＣＫ用データが残りスロットに割り当てられる（ステップＳ４６）。したがって、ステップＳ４７で示すように、残りスロット数＝残りスロット数−ＡＣＫ用データ数となる。求められた残りスロット数が０かどうかがステップＳ４８において決定される。残りスロット数が０ならば、割当処理が終了する。
【０１２２】
ステップＳ４８において、残りスロットが未だあると決定されると、ステップＳ４９において、前回記憶分（ＭＡＣ−ＩＤ、未割当データ数）が読み出される。ステップＳ４３において、ＡＣＫ用のスロット割当がないと決定された場合には、残りスロット数がそのままとされ（ステップＳ５０）、次に、ステップＳ４９に処理が移る。
【０１２３】
ステップＳ５１では、未割当データの有無が調べられる。未割当データが無いと決定されると、ステップＳ５２において、フラグが全てOFF とされる。未割当データがあるとステップＳ５１で決定されると、ステップＳ５３において、残りスロット数と未割当データ数の大小関係が判定される。未割当データ数が残りスロット数より多い場合では、割当可能なスロットを未割当データに割り当てる（ステップＳ５４）。割り当てられたデータ数が未割当データ数から減じられる（ステップＳ５５）。ステップＳ５６において、現在のＭＡＣ−ＩＤと未割当データ数が記憶され、処理が終了する。
【０１２４】
ステップＳ５３において、未割当データ数が残りスロット数より少ない場合では、残りスロットを未割当データに割り当てる（ステップＳ５７）。したがって、ステップＳ５８で示すように、残りスロット数＝残りスロット数−未割当データ数となる。残りスロット数が０かどうかがステップＳ５９において決定される。残りスロット数が０ならば、割当処理が終了する。残りスロット数が０でない場合には、未割当データが無い場合と同様に、ステップＳ５２において、フラグが全てOFF とされる。
【０１２５】
ステップＳ５２より後の処理が図１８に示されている。図１８に示すステップＳ６０において、次のＭＡＣ−ＩＤが読み出される。そして、ステップＳ６１において、フラグがONか否かが決定される。フラグがONであれば、処理が終了する。なお、処理が終了する前にステップＳ６２において、残りのスロットをＡＣＴＳに割り当てることも可能である。
【０１２６】
フラグがONでない場合には、ステップＳ６３において、データ個数が０か否かが決定される。データ個数が０であれば、ステップＳ６４において、１順目の割当か否かが決定される。１順目の割当であれば、ステップＳ６５において、スロットが１個割り当てられる。そして、ステップＳ６６において、フラグがONとされ、ステップＳ６０（次のＭＡＣ−ＩＤの読み出し）に戻る。ステップＳ６４において、１順目の割当でないと決定された場合では、スロットを１個割り当てる処理（ステップＳ６５）をスキップしてステップＳ６６（フラグをONする）に移る。
【０１２７】
データ個数が１以上であれば、ステップＳ６７において、フラグが全てOFF とされ、ステップＳ６８の判定処理がなされる。ステップＳ６８では、（優先度、データ個数の少ない方）（以下、適宜「少ない方」と称する）と（残りスロット数）とが比較される。（残りスロット数＞少ない方）の場合、（残りスロット数＝少ない方）の場合、並びに（残りスロット数＜少ない方）の場合のそれぞれに応じた割り当て処理がなされる。
【０１２８】
（残りスロット数＞少ない方）の場合では、ステップＳ６９において、スロットの割当がなされ、ステップＳ７０において、データ個数がデクリメントさせられる。ステップＳ７１では、データ個数が０か否かが判定される。データ個数が０でないと、ステップＳ７２において、（残りスロット数＝残りスロット数−少ない方のデータ個数）の処理がされる。その後、ステップＳ６０（次のＭＡＣ−ＩＤが読み出し）に戻る。ステップＳ７１において、データ個数が０の場合には、ステップＳ７３において、フラグがONとされてからステップＳ７２に処理が移る。
【０１２９】
（残りスロット数＝少ない方）の場合では、ステップＳ７４において、スロットの割当がなされ、ステップＳ７５において、データ個数がデクリメントさせられる。ステップＳ７６では、現在のＭＡＣ−ＩＤ、データ個数（０）が記憶される。そして、処理が終了する。
【０１３０】
（残りスロット数＜少ない方）の場合では、ステップＳ７７において、割り当て可能なデータ個数の割当がなされ、ステップＳ７８において、データ個数がデクリメントさせられる。ステップＳ７９では、現在のＭＡＣ−ＩＤ、未割当データ個数が記憶される。そして、処理が終了する。
【０１３１】
次に、この発明のプロトコルにおける再送制御方式について説明する。ここでは、再送制御方式としてＧＢＮ(Go-Back-N) 方式を使用している。ＧＢＮ方式は、ＡＣＫまたはＮＡＣＫの折り返し動作の間にも引き続き次のパケットの送信を行い、ＡＣＫまたはＮＡＣＫが返った時点で、次のパケットを送信すべきか否かを決定する方式である。但し、以下のデータ（パケット）に関しては、再送を行なわない。
【０１３２】
ＭＤＰ：ブロードキャストデータ（ディスティネーションＭＡＣアドレス：０ｘ１１１１１１１１）→ユーザデータおよび呼制御データのどちらの場合も再送しない
ＭＤＰ：アップリンクにおけるＡＣＫ・ＮＡＣＫ情報のみのデータ（コントロール：０ｘ０＊１＊）→有効データが含まれない場合。
【０１３３】
データ送信側は、通常のＧＢＮ方式の再送制御を行う。送信側は、送信したデータを受信側からのＡＣＫが返ってくるまで、送信バッファに残しておく。アップリンクデータに対するＡＣＫは、ＦＣＭＳのＡＣＫシーケンスナンバーフィールドを使用し、ダウンリンクデータに対するＡＣＫは、ＭＤＳのＡＣＫシーケンスナンバーフィールドを使用する。ＡＣＫを受信すると、そのＡＣＫシーケンス番号より以前のデータをバッファから削除し、通常のデータ送信を継続する。ＮＡＣＫを受信すると、そのＮＡＣＫシーケンス番号より以前のデータをバッファから削除し、次のシーケンス番号のデータ（パケット）から順次再送を行う。再送処理開始のトリガーは、以下の通りである。
【０１３４】
（１）ＮＡＣＫを受信した場合（データエラー）
ＮＡＣＫシーケンスナンバーより以前のデータを送信バッファから削除し、次のシーケンス番号のデータから順次再送する。
【０１３５】
（２）重複するＡＣＫを受信した場合（データ送信リンクにおける通信品質の劣化）
同じシーケンスナンバーのＡＣＫを複数回継続して受信した場合は、バッファに残っているデータから順次再送する。なお、ＡＣＫの重複受信回数は、スタティックに（外部から）設定可能とする。
【０１３６】
（３）ＡＣＫが返ってこない場合（ＡＣＫ送信における通信品質の劣化）
ＡＣＫがタイムアウトになった場合には、バッファに残っているデータから順次再送する。なお、タイムアウト値は、スタティックに（外部から）設定可能とする。
【０１３７】
データ受信側は、通常のＧＢＮ方式の再送制御を行う。受信側は、データ（パケット）エラー検出以降に受信したデータを全て破棄する。そして、正常に受信できたデータのシーケンス番号をＡＣＫシーケンスナンバーフィールドに設定し、ダウンリンクの場合は、コントロールフィールドの第１ビットを有効（１ｂ）に設定し、その第２ビットをＮＡＣＫ（０ｂ）と設定し、アップリンクの場合は、コントロールフィールドの第３ビットを有効（１ｂ）に設定し、その第４ビットをＮＡＣＫ（０ｂ）と設定して、ＡＣＫを返す。ＡＣＫは、ダウンリンクでは、ＦＣＭＰ(Frame Control Message Packet)を利用して送信し、アップリンクでは、ＭＤＰを利用して送信する。なお、ＡＣＫ・ＮＡＣＫを返すタイミングは、以下の通りである。
【０１３８】
（１）ダウンリンクの場合（アップリンクデータに対するＡＣＫ・ＮＡＣＫ）
ＦＣＭＳを送出する直前に、それまでに正常に受信したＭＤＰに対してＦＣＭＰを利用してＡＣＫを返す。コントロールフィールドの第１ビットを「１」（有効）とし、その第２ビットを「１」（ＡＣＫ）とし、現在のデータ番号をＡＣＫシーケンスナンバーに設定する。一方、データエラーを検出した場合は、コントロールフィールドの第１ビットを「１」（有効）とし、その第２ビットを「０」（ＮＡＣＫ）とし、正常に受信できたデータ番号をＡＣＫシーケンスナンバーに設定する。
【０１３９】
（２）アップリンクの場合（ダウンリンクデータに対するＡＣＫ・ＮＡＣＫ）
ＦＣＭＳに含まれるアップリンクのＭＤＳのスロット位置情報を参照し、それまでに正常に受信したＭＤＰに対してＭＤＰを利用してＡＣＫを返す。コントロールフィールドの第３ビットを「１」（有効）とし、その第４ビットを「１」（ＡＣＫ）とし、現在のデータ番号をＡＣＫシーケンスナンバーに設定する。一方、データエラーを検出した場合は、コントロールフィールドの第３ビットを「１」（有効）とし、その第４ビットを「０」（ＮＡＣＫ）とし、正常に受信できたデータ番号をＡＣＫシーケンスナンバーに設定する。
【０１４０】
図１９には、再送制御処理の一例が示されている。図１９は、シーケンス番号＝１、シーケンス番号＝２のデータが正常に送受信され、シーケンス番号＝３のデータがエラーとなった例である。受信側は、処理ＳＴ１においては、シーケンス番号「２」のデータの次にシーケンス番号「４」を受信したことによって、「３」のデータエラーを検出し、正常に受信したシーケンス番号「２」を示したＮＡＣＫを送信する。データエラーは、期待したシーケンス番号とは異なる番号のデータを受信することによって検出する。処理ＳＴ２においては、データエラー検出後に受信したシーケンス番号「４」「５」「６」のデータについては破棄する。
【０１４１】
なお、データエラーの原因としては、データ（パケット）ロス、ベースバンド部におけるエラー、ヘッダＣＲＣエラー、ペイロードＣＲＣエラー等が考えられる。
【０１４２】
送信側は、ＮＡＣＫを受信することによって、処理ＳＴ３において、正常に受信されたシーケンス番号「２」のデータまでを送信バッファから削除し、「３」以降のデータ全てを順次再送する。
【０１４３】
受信側では、処理ＳＴ４において、再送により受信したデータのシーケンス番号「３」を示したＡＣＫを送信する。
【０１４４】
次に、衝突検出時の再送制御について説明する。アップリンクのＡＣＴＳは、ランダムアクセススロットのために、複数の移動局が同時に送信することによる衝突の可能性がある。ベースバンド処理部において、データ受信状態であるにもかかわらず、フレームとして認識できない場合、並びにフレームとして認識できたが、ペイロード部分で衝突が発生した場合には、ベースバンド処理部からエラーが発生する。
【０１４５】
このエラーが通知されると、次に送出するＦＣＭＳのコリジョンディテクションフィールドの値を１（衝突あり）に設定する。移動局は、ＦＣＭＳのコリジョンディテクションフィールドを参照し、送信したＡＣＴＰが衝突した場合は、ランダム関数にて何周期目のＡＣＴＳのどのサブスロットを送信するかを決定し、それにしたがって再送を行う。
【０１４６】
次に、移動局側のアップリンク用のチャンネルアクセス処理について説明する。移動局において、呼制御データの送信要求があった場合、ＦＣＭＰに含まれるＡＣＴＳの位置情報を参照してそのスロット位置でＡＣＴＰを送信する。ＡＣＴＳは、複数のサブスロットに分割されているが、どのサブスロット位置にてＡＣＴＰを送信するかは、衝突の確率を減らすために、ランダム関数で決定する。他の移動局のＡＣＴＰと衝突が発生した場合、基地局は、ＦＣＭＳのコリジョンディテクションフィールドに衝突情報を設定し、移動局は、その情報を参照して再送を行う。また、上位層のＬＬＣからユーザデータの送信要求が発生すると、ＦＣＭＳに含まれる自分の移動局用のＭＤＳの位置を参照してそのスロット位置でＭＤＰを送信する。
【０１４７】
移動局がサービスエリアに進入時の処理について説明する。移動局は、ＦＣＭＰに含まれているベースステーションＩＤの値を保持しておく。ベースステーションＩＤのフィールドには、基地局（ＢＳ）を一意に識別するユニークな番号（例えばEthernetアドレス）が設定されている。最初にサービスエリアに移動局が進入した時には、ベースステーションＩＤが保持されていない。また、異なるサービスエリアに進入した時には、保持しているものと異なるベースステーションＩＤが受信される。これらの場合が発生した場合には、ＬＬＣに対して通知がなされる。
【０１４８】
上述したように、図１９に示す再送処理は、１シーケンス単位で応答信号が返されるので、１シーケンスを単位として再送を行う方法（第１の方法）である。第１の方法は、正常に送受信できたシーケンスナンバーのデータパケットは、有効なものとし、正常に送受信できなかった以降のシーケンスナンバーのデータパケットを再送する方法である。再送処理としては、他の方法も可能である。すなわち、正常に送受信できなかった場合では、その途中まで受信できたものを含めて受信パケットを全て破棄し、先頭からデータを再送する方法（第２の方法）が可能である。第２の方法では、通常送信と再送とを区別する必要がなくなり、再送処理のために、端末（移動局）側でデータをバッファに蓄えておく必要がなく、端末側のバッファの規模を小さくでき、処理も簡単とできる。
【０１４９】
好ましくは、上述した２通りのデータ再送方法のうちいずれかの再送方法を基地局が行うことができるようになされる。例えばシーケンスの最初から全て再送する第１の方法と、シーケンスの途中迄のデータを有効とし、残りのデータを再送する第２の方法とが可能とされ、移動局側のバッファの容量に応じてこれらを選択できるようになされる。何れの再送方法であるかは、例えばＦＣＭＰ内に識別データとして挿入される。
【０１５０】
ここまで、特許文献１に記載した通信システムの概要について説明してきたが、以降では、当該通信システムを改良して、より効果的な無線通信を実現するようにした、この発明に係る通信システムの概要について説明する。
【０１５１】
図２０は、アップリンクのＴＤＭＡフレームにおけるスロットの配置例について示したものである。図２０Ａは、これまで説明してきた特許文献１のスロット配置である。ＴＤＭＡフレームの先頭に１つのＡＣＴＳが配置され、その後に７つのＭＤＳが配置される。ＡＣＴＳは、ここでは１つのスロットとして示されているが、このスロット内に複数（例えば、４つ）のミニスロット（サブスロット）を設け、移動局はこのミニスロットの中から使用するスロットをランダムに選択することができる。
【０１５２】
移動局は、このＡＣＴＳのミニスロットを使用して、登録・登録削除要求もしくはコネクション設定・コネクション解放要求、等を基地局に対して送信する。一方、ＭＤＳは、移動局から基地局への通常のデータ通信（アップロード）に用いられる。さらに、ＭＤＳは、アップロード要求、ダウンロード要求、ユーザ・データ、および前記ダウンリンクを通じて送信されたデータに対するＡＣＫ情報を基地局に送信するためにも使用される。
【０１５３】
図２０Ｂおよび図２０Ｃは、この発明によって実現されるアップリンクのＴＤＭＡフレームの例である。図２０Ｂには、ＡＣＴＳがなく、８つのＭＤＳのみで構成されるＴＤＭＡフレームが示されている。基地局は、例えば、送信バッファの空き容量が少なくなってきた場合に、移動局に送信するＦＣＭＰの内容を変更して上記のようにアップリンクのＴＤＭＡフレームにＡＣＴＳの割当をしないように制御する。そうすることによって、移動局の新たな登録やコネクション設定が禁止され、専ら現在コネクション設定がされている移動局へのダウンロードが行われ、結果的に基地局の送信バッファの空き容量を増加させることが期待できる。
【０１５４】
このように、基地局は、ＴＤＭＡフレームを図２０Ｂに示すような構成にすることにより、送信バッファのオーバーフローを抑止することができる。
【０１５５】
図２０Ｃには、図２０Ｂに示すＴＤＭＡフレームとは対照的に、全てがＡＣＴＳで構成されたＴＤＭＡフレームが示されている。基地局は、例えば、大会場で大勢のユーザが一斉に無線端末を利用しようとする場合に、移動局に送信するＦＣＭＰの内容を変更して上記のようにアップリンクのＴＤＭＡフレームがＡＣＴＳのみで構成されるように制御する。そうすることによって、移動局の新たな登録やコネクション設定が円滑に行われる。この結果、多くの移動局がコネクション設定を行い、基地局の送信バッファに多くのデータが書き込まれる可能性が増大する。送信バッファの使用率が一定の割合に達した場合は、上記ＴＤＭＡフレームのＡＣＴＳの数を減らすように制御することも可能である。一方、ＡＣＴＳのみで構成されたＴＤＭＡフレームを長期間にわたって続けると、各移動局のアップロードが滞ることになり、そういった意味でも、所定のタイミングあるいは周期で、ＴＤＭＡフレームのＡＣＴＳの数を減らすように制御することが望ましい。
【０１５６】
図２０Ｂおよび図２０Ｃで示したＴＤＭＡフレームの構成は、ＡＣＴＳの配置に関しては両極端な例であり、この発明に係る基地局は、送信バッファの使用率等に基づいて、最適なＡＣＴＳの数を決定し、これを動的に変更するよう制御することができる。また、ＡＣＴＳをＴＤＭＡフレームの先頭から割り当てる必要はない。例えば、ＴＤＭＡフレームの１番目と５番目のスロットがＡＣＴＳとなるように割り当てを行っても良い。
【０１５７】
次に、図２１に示すブロック図を参照して、この発明の一実施形態に係る基地局の、主にＭＡＣ層に関する送受信機能について説明する。基地局の送受信部１２０は、セグメント分離部１２１、再送制御部１２２、送信バッファ１２３、スロット割当部１２４、制御データ構築部１２５、移動局登録部１２６、スロット抽出部１２７、受信データ確認部１２８、受信バッファ１２９、およびＩＰデータ構築部１３０を含む。送受信部１２０は、図１に示すＭＤＰ生成部３、ＦＣＭＰ生成部４、および受信パケット判定部１０の各機能に対応するものである。
【０１５８】
セグメント分離部１２１は、送信すべきＩＰデータを受信して、それをスロットの長さに準じた所定の長さにセグメント化し、送信バッファ１２３に送信する。送信バッファ１２３は、登録済みの移動局毎に管理されており、セグメント分離部１２１は、セグメント化されたＩＰデータを、送信先の移動局に応じて、対応する送信バッファ１２３の領域に格納する。その後、スロット割当部１２４が、送信バッファ１２３に格納されたＩＰデータを、ＭＤＳのデータ（ＭＤＰ）として生成し、さらに、制御データ構築部１２５から生成されたＦＣＭＳのデータ（ＦＣＭＰ）とともにＴＤＭＡフレームを構築する。スロットの割り当てについては、上述のスロット割り当て方式のうち何れかが採用されうる。
【０１５９】
スロット抽出部１２７は、各移動局からＴＤＭＡフレームを受信すると、ＡＣＴＳを移動局登録部１２６に送信し、ＭＤＳを受信データ確認部１２８に送信する。受信データ確認部１２８は、ＭＤＳの内容を判断し、それがダウンリンクデータに対するＡＣＫであれば制御データ構築部１２５にその旨を伝達し、ＮＡＣＫであれば再送制御部１２２にダウンリンクデータの再送を指示する。ＭＤＳの内容が、移動局からのアップリンクデータである場合、そのデータは受信バッファ１２９の対応する移動局の領域に格納され、ＩＰデータ構築部１３０でＩＰデータとして組み立てられた後、上位層に渡される。
【０１６０】
移動局登録部１２６は、受信したＡＣＴＳが登録要求を含んでいる場合は、送信バッファ１２３および受信バッファ１２９に、その移動局に対応した領域を確保し、削除要求を含んでいる場合は、送信バッファ１２３および受信バッファ１２９から、その移動局に対応した領域を削除する。また、ＡＣＴＳがダウンロード要求またはアップロード要求であった場合、制御データ構築部１２５に、必要なＦＣＭＰの作成を指示し、さらにダウンロード要求の場合は送信バッファ１２３からダウンロードデータを取り出し、スロット割当部１２４に送信する。
【０１６１】
また、移動局登録部１２６は、受信したＡＣＴＳがコネクション設定要求を含む場合は、図１３Ａに示すスロット割当管理テーブルにその移動局を追加し、コネクション設定ＭＡＣアドレスを設定する。その後、その移動局を送信先としたＩＰデータを受信した場合、セグメント分離部１２１は、スロット割当管理テーブル内の対応する移動局のダウンリンク送信バッファ状態を１だけインクリメントする。
【０１６２】
制御データ構築部１２５は、ＦＣＭＰを作成する際、ＡＣＴＳの数と配置を決定し、その内容をアップリンクのスロット割当情報に設定する。アップリンクのスロット割当情報は、例えば、８つのスロット毎に割当スロットタイプを有し、ＡＣＴＳは（１０ｂ）、ＭＤＳは（０１ｂ）で表される。また、アップリンク用ＡＣＫ情報には、移動局からの登録要求またはコネクション設定要求が、他の移動局からの同一スロットを使用した要求との衝突により不成功に終わったこと（コリジョンディテクション）が含まれる。
【０１６３】
ここで、制御データ構築部１２５がＡＣＴＳの数と配置を決定する処理を、図２２のフローチャートを用いて説明する。制御データ構築部１２５は、送信バッファ１２３からスロット割当部１２４に移動局への送信データが提供された場合や、受信データ確認部１２８からＡＣＫデータを受信した場合など、新たなＴＤＭＡフレームを移動局に送信する際に、ＦＣＭＰを作成する。このとき、例えば、図２２のフローチャートに示す処理が起動される。
【０１６４】
最初に、ステップＳ１０１において、スロット割当管理テーブルの内容を取得し、各移動局のダウンリンク送信バッファ状態を確認する。それぞれのダウンリンク送信バッファ状態には、送信バッファに格納されているデータの数が記憶されているので、これらを足し合わせることによって送信バッファの使用率Ｕを計算することができる。この例では、スロット割当管理テーブルの内容を取得することによって送信バッファの使用率を推定しているが、基地局の送信バッファに直接アクセスして使用率を得るようにしてもよい。また、ここでいう使用率とは、送信バッファがデータによって占有されている比率のことであり、１−Ｕは、送信バッファの空き状況を示すものとなる。
【０１６５】
ステップＳ１０２では、送信バッファの使用率Ｕの値を判定する。Ｕが所定のしきい値αより小さい場合はステップＳ１０３に、Ｕがしきい値α以上で、しきい値β（ただし、βはαより大きい値）より小さい場合はステップＳ１０５に、Ｕがしきい値β以上の場合はステップＳ１０６に進む。
【０１６６】
Ｕがしきい値αより小さい場合、すなわち送信バッファの使用率が比較的低く、容量に余裕がある場合、ステップＳ１０３で、基地局と移動局を接続するための所定の要求、すなわち、移動局からの登録要求またはコネクション設定要求がどれくらいの頻度で衝突しているかを判定する。当該頻度Ｐが、所定のしきい値γ以上である場合、ＡＣＴＳの数を８と決定し（ステップＳ１０４）、そうでない場合は、ＡＣＴＳの数を１と決定する（ステップＳ１０５）。これは、例えば、大会場のようなところで、非常に多くのノートパソコンや携帯電話等の移動局が存在し、それらが一斉に無線通信を行おうとするような状況に対応するものである。衝突の頻度が所定のしきい値以上であるということは、実際に非常に多くの登録要求等が発生して、現在のＡＣＴＳでは対応しきれていないことを示している。一方、こうした衝突頻度が一定値以下であれば、それほど登録要求等は多くないと判断して、通常のＡＣＴＳの数、すなわち１つのＡＣＴＳで対応可能と判断する。
【０１６７】
なお、ここで、１つのＡＣＴＳは、例えば、４つのミニスロットを含むものであり、その場合、１つのＡＣＴＳを用いて４つの移動局からの登録要求を受け付け可能である。
【０１６８】
ステップＳ１０２で、Ｕがしきい値α以上で、しきい値βより小さいと判定された場合、ステップＳ１０５に進み、ＡＣＴＳの数を１と決定する。送信バッファの使用率が中程度である場合は、まだ送信バッファの容量に余裕があるため、ＡＣＴＳの数を１として新たな移動局の登録等を可能としている。また、この場合に、衝突頻度Ｐを判定し、所定の値以上であれば、ＡＣＴＳの数をある程度増加させるように制御してもよい。
【０１６９】
ステップＳ１０２で、Ｕがしきい値β以上と判定された場合、ステップＳ１０６でＡＣＴＳの数が０と決定される。送信バッファの使用率が高い場合は、ＡＣＴＳをなくすことによって、移動局の新たな登録を禁止し、それによって最終的に送信バッファの使用率を低減させていこうとするものである。
【０１７０】
ＡＣＴＳの数が決定されると、ステップＳ１０７において、このＡＣＴＳの数をもとにＦＣＭＰが生成され、スロットＦＣＭＳを用いて各移動局に送信される。このＡＣＴＳの数は、ＦＣＭＰ内の、アップリンクのスロット割当情報に反映される。スロット割当情報では、８つのスロットがそれぞれどのスロットに該当するかを指定する。したがって、ステップＳ１０７では、決定されたＡＣＴＳの数に基づいて、これらの指定を行う。また、ＡＣＴＳの数が１ないし７である場合、どの位置にＡＣＴＳを配置するかを指定することもできる。ＡＣＴＳの位置については、最初のスロットから順に配置する等、所定の規則によって指定可能である。
【０１７１】
図２２に示すフローチャートの例では、送信バッファの使用率と、移動局からの登録要求等の衝突頻度とを元にして、ＡＣＴＳの数を決定しているが、送信バッファの使用率、および移動局からの登録要求等の衝突頻度のいずれかのみを用いてＡＣＴＳの数を決定しても良い。また、常に、これら２つの基準を元にしてＡＣＴＳの数を決定することも可能である。さらぶ、ここでは、２つのしきい値を用いて、送信バッファの使用率を判定しているが、１つまたは３つ以上のしきい値を用いてＡＣＴＳの数を決定することもできる。
【０１７２】
次に、図２３を参照して、この発明の一実施形態に係る移動局の送受信機能を説明する。図２３は、主としてＭＡＣ層について当該送受信機能を表したブロック図である。送受信部１８０は、スロット抽出部１８１、受信データ確認部１８２、ＩＰデータ構築部１８３、割当情報取得部１８５、再送制御部１８６、ＡＣＫ送信部１８７、スロット割当部１８８、送信バッファ１８９、セグメント分離部１９０、および移動局登録信号生成部１９１を含む。また、送受信部１８０は、図２に示すＡＣＴＰ生成部２３、ＭＤＰ生成部２４、および受信パケット判定部３１の各機能に対応するものである。
【０１７３】
基地局から送信されたＴＤＭＡフレームのうち、ＦＣＭＳがスロット抽出部１８１で抽出され、割当情報取得部１８５によってＦＣＭＰの内容が判定される。割当情報取得部１８５は、アップリンクのスロット割当情報の内容を参照することによって、基地局がＡＣＴＳとして割り当てたスロットの数および位置を認識することができる。また、アップリンクデータに対するＡＣＫ情報のコリジョンディテクション等を参照することによって、ダウンリンクおよびアップリンクが混雑しているかどうか判断する。
【０１７４】
ダウンリンクまたはアップリンクを使用する場合、移動局登録信号生成部１９１によって生成された移動局登録信号（登録要求）が、スロット割当部１８８によって物理層に送信され、基地局に伝えられる。ここで、移動局登録信号には、例えば、移動局のＭＡＣアドレスが含まれる。
【０１７５】
基地局から送信されたＴＤＭＡフレームのうち、ＭＤＳは、スロット抽出部１８１によって受信データ確認部１８２に送られ、そこで受信データが正常かどうかが判断される。正常であれば、ＡＣＫ送信部１８７によってＡＣＫが送信されるよう制御されるとともに、ＩＰデータ構築部１８３で受信データがＩＰデータとして生成され、上位層に渡される。受信データが正常でなければ、再送制御部１８６によって、当該受信データを再送するよう制御される。
【０１７６】
上位層からＩＰデータを受信した場合、セグメント分離部１９０において、ＩＰデータがセグメント化され、当該セグメント化されたＩＰデータが、送信バッファ１８９およびスロット割当部１８８を介してＭＤＳとして物理層に送信される。
【０１７７】
これまで、この発明の基地局および移動局の各機能について発明してきたが、それ以外のＭＡＣ層プロトコルの動作については、特許文献１について上述したものと同様である。ただし、図１７および図１８を用いて説明した、アップリンクのスロット割当処理動作については、上記のように、ＡＣＴＳの数および位置の変更を考慮する必要がある。
【０１７８】
次に、ここまで説明してきたこの発明のプロトコルに基づくＴＤＭＡフレームのデータを、ＯＦＤＭを用いて送受信する態様について説明する。最初に、図２４および図２５を参照して、ＯＦＤＭ伝送されるＴＤＭＡフレームについて説明する。図２４および図２５において、縦軸が周波数軸であり、横軸が時間軸である。所定のサブキャリア間隔で複数本例えば（６４×１２＝７６８）本のサブキャリアが設定され、所定のサブキャリアの所定の時間幅の信号がＯＦＤＭシンボルと称される。
【０１７９】
図２４に示すＴＤＭＡフレームは、ダウンリンクに係るＴＤＭＡフレーム５０である。基地局から各移動局に向けて伝送されるＯＦＤＭサブキャリア５１は、この例では１２のサブチャネル５２から構成される。各サブチャネル５２は時間軸上で所定時間長でブロック化され、このようにブロック化されたサブチャネル５２のそれぞれは、スロットと呼ばれる。スロットには、前述したＦＣＭＳ５３とＭＤＳ５４を割り当てる。図２４に示す例では、１つのサブチャネル５２について見ると、１つのＴＤＭＡフレーム５０に対して１つのＦＣＭＳ５３と８つのＭＤＳ５４が含まれる。
【０１８０】
ＯＦＤＭサブキャリア５１の全キャリア数は、例えば７６８本であり、各サブチャネル５２のＯＦＤＭサブキャリア数は６４本である。この６４本のサブキャリアを用いて１つのプロトコルのＦＣＭＰおよびＭＤＰの送信が行われる。ＦＣＭＳ５３は、図９を参照して説明したように、１６バイトのヘッダ部５５と、６６バイト（内２バイトはＣＲＣ（Cyclic Redundancy Check ）用）のペイロード部５６からなる。ＭＤＳ５４は、図１１を参照して説明したように、１２バイトのヘッダ部５７と、１３０、２５８、または３８６バイト（いずれも、うち２バイトはＣＲＣ用）のペイロード部５８からなる。
【０１８１】
ここで、ＦＣＭＳ５３は、図４に示すＦＣＭＳに対応し、ＦＣＭＳ５３の後に続く、同じサブチャネル５２内のＭＤＳ５４（すなわち、１つのＴＤＭＡフレーム５０に含まれるＭＤＳ５４）は、図４に示すＭＤＳに対応する。このように、図４に示した一連のＴＤＭＡフレームは、全てのＯＦＤＭサブキャリア、すなわち７６８本のキャリアを使用して伝送されるのではなく、１つのサブチャネル５２に割り当てられた６４本のキャリアを用いて伝送される。
【０１８２】
図２５に示すＴＤＭＡフレームは、アップリンクに係るＴＤＭＡフレーム６０である。各移動局から基地局に向けてＯＦＤＭ伝送されるＯＦＤＭサブキャリア６１は、この例では１２のサブチャネル６２から構成される。各サブチャネル６２は時間軸上でブロック化され、このようにブロック化されたサブチャネル６２のそれぞれは、スロットと呼ばれる。スロットには、ＡＣＴＳ６３とＭＤＳ６４がある。図２５に示す例では、１つのサブチャネル６２について見ると、１つのＴＤＭＡフレーム６０に対して４つのＡＣＴＳ６３と７つのＭＤＳ６４が含まれる。この例では、４つのＡＣＴＳ６３が設けられているが、４つに限られるわけではなく、他の固定的な数が選択されうる。
【０１８３】
サブキャリア６１のＯＦＤＭサブキャリア数は例えば、７６８本であり、各サブチャネル６２のキャリア数は６４本である。この６４本のキャリアを用いてＡＣＴＳ６３およびＭＤＳ６４の送信が行われる。ＡＣＴＳ６３は、図１２を参照して説明したように、６バイトのヘッダ部６５と、３４バイト（うち２バイトはＣＲＣ用）のペイロード部６６からなる。ＭＤＳ６４は、図２４に示したＭＤＳ５４と同様の構成である。
【０１８４】
ここで、ＡＣＴＳ６３は、図４に示すＡＣＴＳに対応し、ＡＣＴＳ６３に隣接する同じサブチャネル６２内のＭＤＳ６４（すなわち、１つのＴＤＭＡフレーム６０に含まれるスロット）は、図４に示すＭＤＳに対応する。
【０１８５】
上記のような構成に基づくＯＦＤＭ伝送によって、１２のプロトコルが独立して存在する無線通信システムが構築可能となる。言い換えると、１つの基地局と複数の移動局との間の無線通信が同時に複数（ここでは、１２個のサブチャンネル）設定されることになる。したがって、上述したＭＡＣ層プロトコルのスロット割り当てや再送制御が、これらのサブチャネル毎に並行して行われうる。
【０１８６】
図２４、および図２５に示す例では、サブチャネル５２、６２の数を１２とし、ダウンリンクＴＤＭＡフレーム５０内のＭＤＳ５４の数を８とし、アップリンクＴＤＭＡフレーム６０内のＭＤＳ６４の数を７としているが、これらの数は単なる例示に過ぎず、他の好適な数を採用することができる。
【０１８７】
図２６には、ＴＤＭＡフレームの構成例が示されている。図２６Ａは、ＦＣＭＳ、ＭＤＳおよびＡＣＴＳに関して共通項目について示されている。上述の通り、ＯＦＤＭサブキャリア数の全ての本数が７６８に設定され、サブチャネル数が１２、サブチャネル内のＯＦＤＭサブキャリア数は６４本に設定されている。１ＯＦＤＭシンボル伝送時間が８μｓに設定され、ガードインターバル長が２μｓに設定されている。
【０１８８】
図２６Ｂは、ＦＣＭＳ５３についての数値例が示されている。変調方式にはＢＰＳＫ（Binary Phase Shift Keying ）が採用され、ＦＥＣ（Forward Error Correction）には畳み込み符号が採用されている。ＯＦＤＭ伝送時のプリアンブルＯＦＤＭシンボル数が３とされ、その後に続くＯＦＤＭデータシンボル数が２１とされている。したがって、一つのサブチャンネルの１スロットには、２４×６４＝１５３６個のＯＦＤＭシンボルが含まれる。プリアンブルＯＦＤＭシンボル数の内の２シンボルがチャンネルエスティメーション用とされている。合計２４ＯＦＤＭシンボルが存在するので、ＦＣＭＳの伝送時間が２４×１０μｓ＝２４０μｓとなる。ＯＦＤＭデータシンボルは、時間方向または周波数方向、もくしはその両方でインターリーブ（ランダム化）され、ＢＰＳＫ変調されたデータである。
【０１８９】
図２７Ａには、ＭＤＳ５４、６４についての数値例が示されている。変調方式はＱＰＳＫ（Quaternary Phase Shift Keying ）、１６ＱＡＭ（Quadrature Amplitude Modulation ）、６４ＱＡＭ（Quadrature Amplitude Modulation ）のいずれかである。変調方式によって割り当てビット数が変化するので、ペイロードのバイト数が変化する。ＦＥＣには畳み込み符号が採用されている。ＯＦＤＭ伝送時のプリアンブルＯＦＤＭシンボル数が５とされ、その後に続くＯＦＤＭデータシンボル数が１９とされている。したがって、一つのサブチャンネルの１スロットには、２４×６４＝１５３６個のＯＦＤＭシンボルが含まれる。合計２４ＯＦＤＭシンボルが存在するので、ＦＣＭＳの伝送時間が２４×１０μｓ＝２４０μｓとなる。プリアンブルＯＦＤＭシンボル数の内の２シンボルがチャンネルエスティメーション用とされている。ＯＦＤＭデータシンボルは、時間方向または周波数方向、もくしはその両方でインターリーブ（ランダム化）され、変調されたデータである。
【０１９０】
図２７Ｂには、ＡＣＴＳについての数値例が示されており、変調方式にはＢＰＳＫ（Binary Phase Shift Keying ）が採用され、ＦＥＣには畳み込み符号が採用されている。ＯＦＤＭ伝送時のプリアンブルＯＦＤＭシンボル数が２とされ、その後に続くＯＦＤＭデータシンボル数が１０とされている。したがって、一つのサブチャンネルの１スロットには、１２×６４＝７６８個のＯＦＤＭシンボルが含まれる。プリアンブルＯＦＤＭシンボル数の内の２シンボルがチャンネルエスティメーション用とされている。合計１２ＯＦＤＭシンボルが存在するので、ＦＣＭＳの伝送時間が１２×１０μｓ＝１２０μｓとなる。ＯＦＤＭデータシンボルは、時間方向または周波数方向、もくしはその両方でインターリーブ（ランダム化）され、変調されたデータである。ＡＣＴＳの場合は、ＦＣＭＳおよびＭＤＳの半分の伝送時間である。図２５に示すように、ＡＣＴＳは、アップリンクでは、４スロット存在し、ＭＤＳが７個存在している。図２４に示すように、ダウンリンクでは、ＦＣＭＳが１個存在し、ＭＤＳが８個存在している。したがって、１ＴＤＭＡフレームの時間的な長さがアップリンクとダウンリンクとで等しい長さとなる。
【０１９１】
この発明のＯＦＤＭ伝送において、移動局は、全てのサブチャネルにアクセスする機能を有する必要は必ずしもなく、移動局の機器の規模、消費電力、使用可能な料金等にあわせてアクセスするサブチャネル数を決定することができる。また、移動局が、全てのサブチャネルにアクセスできる場合においても、移動局の機器の消費電力や使用可能な料金等に基づき、使用するサブチャネル数をパラメータ等によって柔軟に設定することができる。また、各スロットの変調方式等もパラメータによって設定することができる。
【０１９２】
しかしながら、各移動局の受信側は、スロットが空いているサブチャネルを全サブチャネルの中から効率的に見つけるために、全サブチャネルを受信するよう構成されていることが望ましい。そして、各移動局は基地局からダウンリンクを通じてＯＦＤＭ伝送により送信されたＯＦＤＭサブキャリアをすべて受信し、受信したすべてのサブキャリア内に割り当てられているＦＣＭＳを受信し、各サブキャリアに割り当てられるすべてのアップリンク、ダウンリンクのフレーム内の割り当て情報を受信し、その割り当て情報をもとに、必要とされるサブキャリアのアップリンクのフレームに割り当てられるＡＣＴＳに対し登録要求を行い、登録が認められたサブキャリアに割り当てられたアップリンクおよびダウンリンクのフレームを用いて通信を行うことができる。
【０１９３】
また、隣接セルで同一周波数を用いた場合の干渉回避策としては、T.Nakanishi et. Al., Proc. WPMC'03,pp. V3-188-192, Oct. 2003. で提案されている遅延プロファイル推定および通知方法、適応変調（Adaptive Modulation ）およびマルチレベルの送信電力制御（MTPC(Multi-level Transmit Power Control)）を採用することが可能である。すなわち基地局および移動局がデータを送信する際に、アップリンク、およびダウンリンクのスロットごとに変調方式、および送信電力を選択可能である。また、各スロットで用いる符号の符号化率を可変とすることにより、マルチレート化にも対応可能である。
【０１９４】
また、これまでの説明の中で、基地局との通信対象を「移動局」と称してきたが、これは、単に基地局と無線通信を行う機器を指しているに過ぎず、固定的に配置された、または一時的に固定された機器を除外することを意図したものではない。
【図面の簡単な説明】
【０１９５】
【図１】基地局の構成例を示すブロック図である。
【図２】移動局の構成例を示すブロック図である。
【図３】路車間通信システムの概要を表す略線図である。
【図４】ダウンリンクおよびアップロードのそれぞれのデータ構成および１スロットのデータの構成を示す略線図である。
【図５】送信バッファに格納されているデータの一例を示す略線図である。
【図６】スロット割当方式の一例を示す略線図である。
【図７】スロット割当方式の他の例を示す略線図である。
【図８】スロット割当方式のさらに他の例を示す略線図である。
【図９】パケットＦＣＭＰのフォーマットを示す略線図である。
【図１０】パケットＦＣＭＰのフォーマットのペイロードをより詳細に示す略線図である。
【図１１】パケットＭＤＰのフォーマットを示す略線図である。
【図１２】パケットＡＣＴＰのフォーマットを示す略線図である。
【図１３】スロット割当管理テーブルおよびダウンリンクのスロット割当の一例を示す略線図である。
【図１４】ダウンリンクのスロット割当処理動作を説明するためのフローチャートである。
【図１５】ダウンリンクのスロット割当処理動作を説明するためのフローチャートである。
【図１６】アップリンクのスロット割り当ての一例を示す略線図である。
【図１７】アップリンクのスロット割当処理動作を説明するためのフローチャートである。
【図１８】アップリンクのスロット割当処理動作を説明するためのフローチャートである。
【図１９】再送処理動作の一例を説明するための略線図である。
【図２０】ＴＤＭＡフレームの構成例を示す略線図である。
【図２１】この発明の一実施形態に係る基地局の送受信機能を表すブロック図である。
【図２２】ＡＣＴＳの数を決定する処理を表すフローチャートである。
【図２３】この発明の一実施形態に係る移動局の送受信機能を表すブロック図である。
【図２４】この発明におけるダウンリンクのＴＤＭＡフレームをサブチャネル毎に表した略線図である。
【図２５】この発明におけるアップリンクのＴＤＭＡフレームをサブチャネル毎に表した略線図である。
【図２６】ＴＤＭＡフレームの構成例のうち、共通項目とＦＣＭＳに関するものを示す略線図である。
【図２７】ＴＤＭＡフレームの構成例のうち、ＭＤＳとＡＣＴＳに関するものを示す略線図である。
【符号の説明】
【０１９６】
１・・・基地局
２，２２・・・ネットワーク制御部
３，２４・・・ＭＤＰ生成部
４・・・ＦＣＭＰ生成部
５，２６・・・セレクタ
６，２７・・・無線装置
７，２８・・・送信部
８，２９・・・アンテナ
９，３０・・・受信部
１０，３１・・・受信パケット判定部
２１・・・移動局
２３・・・ＡＣＴＰ生成部
８０・・・基地局の送信部
８１・・・誤り訂正符号化器
８２・・・インターリーバ
８３・・・プリアンブルデータ挿入器
８５・・・ＩＦＦＴ
１００・・・基地局の受信部
１０５・・・ＧＩ（ガードインターバル）除去器
１０６・・・ＦＦＴ
１０７・・・プリアンブルセパレータ
１１１・・・誤り訂正復号器
１４０・・・移動局の送信部
１４１・・・誤り訂正符号化器
１４２・・・インターリーバ
１４３・・・プリアンブルデータ挿入器
１６０・・・移動局の送信部
１６５・・・ＧＩ除去器
１６６・・・ＦＦＴ
１６７・・・プリアンブルセパレータ
１７１・・・誤り訂正復号器
【図１】
2005252980.tif 000003
【図２】
2005252980.tif 000004
【図３】
2005252980.tif 000005
【図４】
2005252980.tif 000006
【図５】
2005252980.tif 000007
【図６】
2005252980.tif 000008
【図７】
2005252980.tif 000009
【図８】
2005252980.tif 000010
【図９】
2005252980.tif 000011
【図１０】
2005252980.tif 000012
【図１１】
2005252980.tif 000013
【図１２】
2005252980.tif 000014
【図１３】
2005252980.tif 000015
【図１４】
2005252980.tif 000016
【図１５】
2005252980.tif 000017
【図１６】
2005252980.tif 000018
【図１７】
2005252980.tif 000019
【図１８】
2005252980.tif 000020
【図１９】
2005252980.tif 000021
【図２０】
2005252980.tif 000022
【図２１】
2005252980.tif 000023
【図２２】
2005252980.tif 000024
【図２３】
2005252980.tif 000025
【図２４】
2005252980.tif 000026
【図２５】
2005252980.tif 000027
【図２６】
2005252980.tif 000028
【図２７】
2005252980.tif 000029